(57)【要約】【課題】従来技術は、電子機器等が情報処理装置等から選択したサービス内容の稼動プログラムを取得し、実行し、電子機器等が動作し、選択したサービス内容に基づいて使用料金を算出するものであり、例えば、主婦等が洗濯という家事労働を視覚的に出力し、また、労働料金を自動的に算出するものではなかった。【解決手段】本発明は、家電機器等の電子機器の動作に関する情報である動作情報を取得して、蓄積し、出力する電子機器である。また、電子機器から動作情報を受信し、当該動作情報に基づいて労働料金を算出し、また、動作情報と労働料金を出力する情報処理装置である。かかる電子機器と情報処理装置を有する情報処理システムにより、電子機器から、動作情報を得て労働に関する情報を視覚的に出力でき、労働料金を自動的に算出できる。【選択図】  図１
2004272650.tif 000002
【特許請求の範囲】
【請求項１】
２以上の電子機器から当該電子機器の動作に関する情報である動作情報を２以上受信する動作情報受信部と、
前記２以上の動作情報を蓄積する動作情報蓄積部と、
前記動作情報蓄積部が蓄積した２以上の動作情報を出力する動作情報出力部を具備する情報処理装置。
【請求項２】
前記動作情報蓄積部は、電子機器が動作した日時に関する情報である日時情報も、動作情報と対応付けて蓄積し、
前記動作情報出力部は、２組以上の動作情報と前記日時情報を出力する請求項１記載の情報処理装置。
【請求項３】
前記動作情報に基づいて労働料金を算出する労働料金算出部と、
前記労働料金を出力する労働料金出力部をさらに具備する請求項１または請求項２いずれか記載の情報処理装置。
【請求項４】
掃除機と情報処理装置を具備する情報処理システムであって、前記掃除機は、
掃除した場所、または掃除した場所近辺に貼付されている無線タグから場所を識別する情報である場所情報を受信する無線タグリーダーと、
前記場所情報を前記情報処理装置に送信する場所情報送信部を具備し、
前記情報処理装置は、
前記場所情報を受信する場所情報受信部と、
前記場所情報受信部で受信した場所情報に基づいて、掃除した場所に関する情報を出力する掃除場所出力部を具備する情報処理システム。
【請求項５】
前記掃除機は、
吸い込むゴミの量に関する情報であるゴミ量情報を取得するゴミセンサー部をさらに具備し、
前記場所情報送信部は、前記ゴミ量情報と場所情報を対応付けて送信し、
前記場所情報受信部は、ゴミ量情報と場所情報を受信し、
前記掃除場所出力部は、掃除した場所に関する情報とゴミ量情報を出力する請求項４記載の情報処理システム。
【請求項６】
前記情報処理装置は、
掃除対象場所を示す情報である掃除対象場所情報を格納する掃除対象場所情報格納部をさらに具備し、
前記掃除場所出力部は、ゴミ量情報を掃除対象場所に対応付けて出力する請求項５記載の情報処理システム。
【請求項７】
前記情報処理装置は、
掃除対象場所を示す情報である掃除対象場所情報を格納する掃除対象場所情報格納部をさらに具備し、
前記掃除場所出力部は、掃除した場所と、掃除していない場所を視覚的に区別して表示する請求項４または請求項５いずれか記載の情報処理システム。
【請求項８】
前記掃除機は、
掃除者を識別する情報である掃除者識別情報を受信する掃除者識別情報受信部をさらに具備し、
前記場所情報送信部は、前記掃除者識別情報をも前記情報処理装置に送信し、
前記場所情報受信部は、前記掃除者識別情報をも受信し、
前記掃除場所出力部は、前記掃除者識別情報をも出力する請求項４から請求項７いずれか記載の情報処理システム。
【請求項９】
前記情報処理装置は、
前記場所情報に基づいて労働料金を算出する労働料金算出部と、
前記労働料金を出力する労働料金出力部をさらに具備する請求項４から請求項８いずれか記載の情報処理システム。
【請求項１０】
掃除した場所、または掃除した場所近辺に貼付されている無線タグから場所を識別する情報である場所情報を受信する無線タグリーダーと、前記場所情報を蓄積する場所情報蓄積部を具備する掃除機。
【請求項１１】
吸い込むゴミの量に関する情報であるゴミ量情報を取得するゴミセンサー部と、
前記ゴミ量情報を蓄積するゴミ量情報蓄積部を具備する掃除機。
【請求項１２】
請求項４から請求項９いずれか記載の情報処理システムを構成する掃除機。
【請求項１３】
請求項４から請求項９いずれか記載の情報処理システムを構成する情報処理装置。
【請求項１４】
洗濯機と情報処理装置を具備する情報処理システムであって、
前記洗濯機は、
当該洗濯機の動作に関する情報である動作情報を取得する動作情報取得部と、
前記動作情報を前記情報処理装置に送信する動作情報送信部を具備し、
前記情報処理装置は、
前記動作情報を受信する動作情報受信部と、
前記動作情報受信部で受信した動作情報を出力する動作情報出力部を具備する情報処理システム。
【請求項１５】
前記動作情報取得部は、
洗濯物の重量を取得する重量センサーを具備し、
前記動作情報は、洗濯物の重量に関する情報を含む請求項１４記載の情報処理システム。
【請求項１６】
前記情報処理装置は、
前記動作情報に基づいて労働料金を算出する労働料金算出部と、
前記労働料金を出力する労働料金出力部をさらに具備する請求項１４または請求項１５いずれか記載の情報処理システム。
【請求項１７】
請求項１４から請求項１６いずれか記載の情報処理システムを構成する洗濯機。
【請求項１８】
請求項１４から請求項１６いずれか記載の情報処理システムを構成する情報処理装置。
【請求項１９】
当該洗濯機の動作に関する情報である動作情報を取得する動作情報取得部と、
前記動作情報を蓄積する動作情報蓄積部を具備する洗濯機。
【請求項２０】
食洗機と情報処理装置を具備する情報処理システムであって、
前記食洗機は、
当該食洗機の動作に関する情報である動作情報を取得する動作情報取得部と、
前記動作情報を前記情報処理装置に送信する動作情報送信部を具備し、
前記情報処理装置は、
前記動作情報を受信する動作情報受信部と、
前記動作情報受信部で受信した動作情報を出力する動作情報出力部を具備する情報処理システム。
【請求項２１】
前記動作情報取得部は、
無線タグリーダーを具備し、
前記動作情報は、食洗機の中の食器に貼付されている無線タグから取得した、食器を識別する情報である食器識別情報をも含む請求項２０記載の情報処理システム。
【請求項２２】
前記情報処理装置は、
前記動作情報に基づいて労働料金を算出する労働料金算出部と、
前記労働料金を出力する労働料金出力部をさらに具備する請求項２０または請求項２１いずれか記載の情報処理システム。
【請求項２３】
請求項２０から請求項２２いずれか記載の情報処理システムを構成する食洗機。
【請求項２４】
請求項２０から請求項２２いずれか記載の情報処理システムを構成する情報処理装置。
【請求項２５】
当該食洗機の動作に関する情報である動作情報を取得する動作情報取得部と、
前記動作情報を蓄積する動作情報蓄積部を具備する食洗機。
【請求項２６】
コンピュータに、
２以上の電子機器から当該電子機器の動作に関する情報である動作情報を２以上受信する動作情報受信ステップと、
前記２以上の動作情報を出力する動作情報出力ステップを実行させるためのプログラム。
【請求項２７】
コンピュータに、
２以上の電子機器から当該電子機器の動作に関する情報である動作情報を２以上受信する動作情報受信ステップと、
前記２以上の動作情報に基づいて労働料金を算出する労働料金算出ステップと、労働料金を出力する労働料金出力ステップをさらに具備する請求項２７記載のプログラム。
【請求項２８】
コンピュータに、
場所情報を受信する場所情報受信ステップと、
場所情報受信ステップで受信した場所情報に基づいて、掃除した場所に関する情報を出力する掃除場所出力ステップを実行させるためのプログラム。
【請求項２９】
コンピュータに、
掃除者を識別する情報である掃除者識別情報と場所情報を受信する場所情報受信ステップと、
場所情報受信ステップで受信した場所情報に基づいて、掃除した場所に関する情報と掃除者識別情報を出力する掃除場所出力ステップを実行させるためのプログラム。
【請求項３０】
コンピュータに、
場所情報を受信する場所情報受信ステップと、
場所情報受信ステップで受信した場所情報に基づいて、掃除した場所に関する情報を出力する掃除場所出力ステップと、
場所情報に基づいて労働料金を算出する労働料金算出ステップと、
労働料金を出力する労働料金出力ステップを実行させるためのプログラム。
【請求項３１】
コンピュータに、
ゴミ量情報と掃除者識別情報と場所情報を受信する場所情報受信ステップと、
場所情報受信ステップで受信した場所情報に基づいて、掃除した場所に関する情報と掃除者識別情報とゴミ量情報を出力する掃除場所出力ステップを実行させるためのプログラム。
【請求項３２】
コンピュータに、
動作情報を受信する動作情報受信ステップと、
動作情報受信ステップで受信した動作情報を出力する動作情報出力ステップを実行させるためのプログラム。
【請求項３３】
コンピュータに、
動作情報を受信する動作情報受信ステップと、
動作情報受信ステップで受信した動作情報を出力する動作情報出力ステップと、動作情報受信ステップで受信した動作情報に基づいて労働料金を算出する労働料金算出ステップと、
労働料金を出力する労働料金出力ステップを実行させるためのプログラム。
【請求項３４】
動作情報を受信し、当該動作情報に基づいて労働料金を算出する情報処理装置。
【発明の詳細な説明】
【０００１】
【発明の属する技術分野】
本発明は、家庭内の、特に主婦の仕事量を可視化して、仕事量を料金に換算する算出情報処理システム等に関するものである。
【０００２】
【従来の技術】
従来技術として、情報処理装置等と、マッサージ機や電子機器等がインターネット等を介して接続し、マッサージ機や電子機器等は、サービス内容を選択して、その選択したサービスジョブに適合した稼動プログラムを情報処理装置等から取得し、稼動プログラムを実行させて、マッサージ機や電子機器等が動作する。また、情報処理装置等は、マッサージ機や電子機器等が提供したサービスジョブに対する使用料金を算出するものである（特許文献１参照）。
【０００３】
【特許文献１】
特開２００２−１６９８３号公報（第１頁、第１図等）
【０００４】
【発明が解決しようとする課題】
しかしながら、従来技術は、マッサージ機や電子機器等が情報処理装置等から選択したサービス内容の稼動プログラムを取得し、実行することにより、マッサージ機や電子機器等が動作し、選択したサービス内容に基づいて使用料金を算出するものであり、例えば、主婦等が洗濯という家事労働を視覚的に出力し、また、家事労働に対する対価である労働料金を自動的に算出するものではなかった。
【０００５】
また、家事の労働料金を算出することは、一般的に行われておらず、主婦の労働価値を認める風潮がなかった。
【０００６】
【課題を解決するための手段】
以上の課題を解決するために、本発明は、家電機器等の電子機器の動作に関する情報である動作情報を取得して、蓄積し、出力する電子機器である。また、電子機器から動作情報を受信し、当該動作情報に基づいて労働料金を算出し、また、動作情報と労働料金を出力する情報処理装置である。かかる電子機器と情報処理装置を有する情報処理システムにより、電子機器から、動作情報を得て労働に関する情報を視覚的に出力でき、家事労働に対する対価である労働料金を自動的に、かつ、正確に算出できるものである。また、動作情報と労働料金を出力することで、家事労働の情報を可視化でき、家事労働の重要性が認識できる。
【０００７】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００８】
（実施の形態１）
図１は、本実施の形態における情報処理装置１０１と１以上の電子機器を有する情報処理システムの構成を示すブロック図である。本情報処理システムは、情報処理装置１０１、掃除機１０２、洗濯機１０３を有する。情報処理装置１０１は、動作情報受信部１０１１、動作情報蓄積部１０１２、労働料金算出部１０１３、動作情報出力部１０１４、労働料金出力部１０１５を有する。掃除機１０２は、動作情報構成部１０２１、動作情報記録部１０２２、動作情報送信部１０２３を有する。洗濯機１０３は、動作情報構成部１０３１、動作情報記録部１０３２、動作情報送信部１０３３を有する。
【０００９】
動作情報受信部１０１１は、動作情報と日時情報を受信する。動作情報とは、電子機器の動作に関する情報である。電子機器が掃除機の場合、動作情報は、例えば、掃除機の識別子、動作時間、動作回数、動作モード、使用した機能等を有する。ここで、掃除機の動作時間とは、掃除機がゴミ等を吸い込んでいる時間であり、例えば、掃除機の電源をＯＮにした時刻からその電源をＯＦＦにした時刻までの時間等を有する。また、動作回数とは、一定期間（例えば、１日、１週間等の期間）に掃除機が動作した回数であり、例えば、一週間当たりに１回等の情報を有する。また動作モードとは、掃除機の動作モードに関する情報であり、例えば、強力な吸い込みモード、床を掃除するモード、畳を掃除するモード等の情報を有する。また、使用した機能とは、掃除機の機能に関する情報であり、例えば、掃除機の動作時間を知らせるアラーム機能や、吸い込んだゴミの量を知らせる機能等を有する情報である。また、日時情報とは、電子機器が動作した日時に関する情報である。電子機器が、掃除機の場合、日時情報は、例えば、動作した日（例えば、２月２８日等）、動作した時刻（例えば、９：００）、動作した時間等を有する。動作情報受信部１０１１は、例えば、ネットワークカードとそのドライバーソフト等から構成される。
【００１０】
動作情報蓄積部１０１２は、動作情報と日時情報を記録媒体に蓄積する。動作情報蓄積部１０１２は、不揮発性の記録媒体が好適であるが、揮発性の記録媒体でも良い。また、この蓄積は、一時的に、キャッシュやメモリ等に記録することを含む。
【００１１】
労働料金算出部１０１３は、動作情報蓄積部１０１２が蓄積している動作情報と日時情報を取得し、当該動作情報と日時情報に基づいて、労働料金を算出する。詳細は後述する。労働料金算出部１０１３は、通常、ソフトウェアから構成されるが、ハードウエア（専用回路）により実現しても良い。
【００１２】
動作情報出力部１０１４は、動作情報蓄積部１０１２が蓄積した動作情報と日時情報を出力する。この出力態様は、問わない。具体的には、後述する。この出力とは、ディスプレイ等への表示が好適であるが、スピーカーからの音出力やプリンタへの印刷でも良い。動作情報出力部１０１４は、例えば、ディスプレイとそのドライバーソフトにより実現され得る。また、動作情報出力部１０１４は、ディスプレイ等の出力デバイスを含まなくても良い。かかる場合、動作情報出力部１０１４は、外付けのディスプレイに動作情報と日時情報を出力指示する。さらに、動作情報出力部１０１４は、動作情報と日時情報を音で出力する場合には、スピーカーとそのドライバーソフトを有しても良い。また、動作情報出力部１０１４は、外部の情報処理装置等に送信等することでも良い。かかる場合、動作情報出力部１０１４は、ネットワークカードとそのドライバーソフト等を有して実現される。
【００１３】
労働料金出力部１０１５は、労働料金算出部１０１３が算出した労働料金を出力する。この出力とは、ディスプレイ等への表示が好適であるが、スピーカーからの音出力やプリンタへの印刷でも良い。労働料金出力部１０１５は、例えば、ディスプレイとそのドライバーソフトにより実現され得る。また、労働料金出力部１０１５は、ディスプレイを含まなくても良い。かかる場合、労働料金出力部１０１５は、外付けのディスプレイに労働料金を出力指示する。さらに、労働料金出力部１０１５は、労働料金を音で出力する場合には、スピーカーとそのドライバーソフトを有しても良い。また、労働料金出力部１０１５は、外部の情報処理装置等に送信等することでも良い。かかる場合、動作情報出力部１０１４は、ネットワークカードとそのドライバーソフト等を有して実現できる。
【００１４】
掃除機の動作情報構成部１０２１は、動作情報と日時情報を構成する。詳細は後述する。動作情報とは、掃除機の動作に関する情報であり、例えば、識別番号、動作時間、動作回数、動作モード、使用した機能等を有する。また、日時情報とは、掃除機が動作した日時に関する情報であり、例えば、動作した日、動作した時刻、動作した時間等を有する。掃除機情報構成部１０２１は、通常、ソフトウェアから構成されるが、ハードウエア（専用回路）により実現しても良い。
【００１５】
掃除機の動作情報記録部１０２２は、動作情報構成部１０２１が構成した動作情報と日時情報を記録媒体に記録する。動作情報記録部１０２２は、通常、ソフトウェアから構成されるが、ハードウエア（専用回路）により実現しても良い。この記録媒体は、不揮発性の記録媒体が好適であるが、揮発性の記録媒体でも良い。また、この記録は、一時的に、キャッシュやメモリ等に記録することを含む。
【００１６】
掃除機の動作情報送信部１０２３は、動作情報と日時情報を、情報処理装置１０１に送信する。動作情報送信部１０２３は、例えば、ネットワークカードとそのドライバーソフト等から構成される。
【００１７】
洗濯機の動作情報構成部１０３１は、動作情報と日時情報を構成する。動作情報とは、洗濯機の動作に関する情報であり、例えば、洗濯機の識別番号、動作時間、動作回数、動作モード、使用した機能等を有する。動作時間とは、洗濯機が洗濯をする時間であり、例えば、洗濯機の洗濯開始ボタン等をＯＮにした時刻からその洗濯終了時刻までの時間等である。なお、洗濯終了時刻は、通常、洗濯開始ボタン等をＯＮにした時刻から、一定時間経過後の時刻等である。また、動作回数とは、一定期間（例えば、１日、１週間等の期間）に洗濯機が動作した回数であり、例えば、「一週間当たりに１回」等の情報を有する。また動作モードとは、洗濯機の動作モードに関する情報であり、例えば、標準モード、簡易モード、乾燥のみモード等の情報を有する。また、使用した機能とは、洗濯機の機能に関する情報であり、例えば、乾燥機能や、超音波洗濯機能等を有する情報である。また、日時情報とは、洗濯機が動作した日時に関する情報であり、例えば、動作した日、動作した時刻、動作した時間等を有する。詳細は後述する。動作情報構成部１０３１は、通常、ソフトウェアから構成されるが、ハードウエア（専用回路）により実現しても良い。
【００１８】
洗濯機の動作情報記録部１０３２は、動作情報構成部１０３１が構成した動作情報と日時情報を記録媒体に記録する。動作情報記録部１０３２は、通常、ソフトウェアから構成されるが、ハードウエア（専用回路）により実現しても良い。この記録媒体は、不揮発性の記録媒体が好適であるが、揮発性の記録媒体でも良い。また、この記録は、一時的に、キャッシュやメモリ等に記録することを含む。
【００１９】
洗濯機の動作情報送信部１０３３は、動作情報記録部１０３２が記録した動作情報と日時情報を、情報処理装置１０１に送信する。動作情報送信部１０３３は、例えば、ネットワークカードとそのドライバーソフト等から構成される。
【００２０】
掃除機１０２の動作は、動作情報構成部１０２１が、動作情報と日時情報を構成し、動作情報記録部１０２２が、動作情報と日時情報を記録し、動作情報送信部１０２３が、動作情報と日時情報を送信する、動作である。
【００２１】
洗濯機１０３の動作は、動作情報構成部１０３１が、動作情報と日時情報を構成し、動作情報記録部１０３２が、動作情報と日時情報を記録し、動作情報送信部１０３３が、動作情報と日時情報を送信する、動作である。
【００２２】
以下、本実施の形態における情報処理装置１０１の動作について図２のフローチャートを用いて説明する。
【００２３】
（ステップＳ２０１）動作情報受信部１０１１は、動作情報と日時情報を受信したか否かを判断する。当該動作情報と日時情報を受信すれば、ステップＳ２０２に行き、当該動作情報と日時情報を受信しなければ、ステップＳ２０１に戻る。
【００２４】
（ステップＳ２０２）動作情報蓄積部１０１２は、ステップＳ２０１で受信した動作情報と日時情報を対応付けて、蓄積する。
【００２５】
（ステップＳ２０３）労働料金算出部１０１３は、現時刻が労働料金の算出開始時刻か否かを判断する。労働料金算出部１０１３は、例えば、現時刻が２１：００であり、算出開始時刻が２１：００であれば、労働料金の算出を開始する。この算出開始時刻は、情報処理装置１０１に内蔵のメモリに予め記録した時刻でも良く、外部から入力するものでも良い。労働料金算出部１０１３は、現時刻が算出開始時刻であれば、ステップＳ２０４に行く。現時刻が算出開始時刻でなければ、ステップＳ２０１に戻る。
【００２６】
（ステップＳ２０４）労働料金算出部１０１３は、カウンタｉを、１に初期化する。
【００２７】
（ステップＳ２０５）労働料金算出部１０１３は、ｉ番目の動作情報が存在するか否かを判断する。ｉ番目の動作情報が存在する場合、ステップＳ２０６に行く。ｉ番目の動作情報が存在しない場合、ステップＳ２０９に行く。
【００２８】
（ステップＳ２０６）労働料金算出部１０１３は、動作情報蓄積部１０１２からｉ番目の動作情報を取得する。
【００２９】
（ステップＳ２０７）労働料金算出部１０１３は、動作情報に基づいて、労働料金を算出する。労働料金算出部１０１３は、例えば、動作情報が有する動作時間と、予め情報処理装置に内蔵のメモリに記録されている単位時間当たりの料金を乗算して、労働料金を算出する。詳細は後述する。なお、この単位時間当たりの料金は、電子機器により異なる値であっても良い。また、単位時間当たりの料金は、時刻ごとに異なっていても良い。
【００３０】
（ステップＳ２０８）労働料金算出部１０１３は、カウンタｉを、１カウントアップする。その後、ステップＳ２０５に戻る。
【００３１】
（ステップＳ２０９）動作情報出力部１０１４は、動作情報と、日時情報を出力する。
【００３２】
（ステップＳ２１０）労働料金出力部１０１５は、ステップＳ２０７で算出したすべての労働料金の合計を出力する。この出力後、動作は終了する。
【００３３】
以上、情報処理装置が動作情報と日時情報を受信して、当該動作情報と日時情報を蓄積し、また、当該動作情報と日時情報に基づいて労働料金を算出し、動作情報と日時情報と労働料金とを出力する動作について図２のフローチャートを用いて説明した。なお、図２のフローチャートにおいて、情報処理装置１０１の電源がＯＮ状態であり、動作情報と日時情報を受信できる状態にある。
【００３４】
以下、本実施の形態における情報処理装置と掃除機と洗濯機の具体的な動作について説明する。
【００３５】
図３は、情報処理装置３０１、掃除機３０２、洗濯機３０３を示す。図３において、情報処理装置３０１、掃除機３０２、洗濯機３０３は、それぞれ、無線通信手段を有して、掃除機３０２、洗濯機３０３が、動作情報を送信し、情報処理装置３０１が受信する構成である。
【００３６】
今、掃除機３０２の動作情報構成部は、掃除機３０２のスタートボタン等を入力指示したときの動作開始時刻と終了ボタン等を入力指示したときの動作終了時刻を取得し、当該動作開始時刻と動作終了時刻の差を求め、動作時間を算出する。動作情報記録部に記録する。また、動作情報構成部は、動作モードボタンを入力指示したときの動作モード、あるいは、吸い込み量等に応じて自動的に切り替わる動作モード、例えば、たたみ掃除モード、床掃除モード等を取得する。また、日時情報は、識別番号、掃除機３０２が動作した動作日と、動作開始時刻、動作終了時刻等を有する。動作情報構成部は、動作日、動作開始時刻、動作終了時刻を取得する。なお、掃除機３０２は、時計を有する。
【００３７】
掃除機３０２の動作情報記録部は、動作情報構成部が構成した動作情報と日時情報を動作情報構成部から取得し、動作情報記録部に内蔵のメモリに記録する。この動作情報は識別番号と動作時間と動作モード等を有する。識別番号は、掃除機の場合、１とする。
【００３８】
掃除機３０２の動作情報送信部は、動作情報記録部から動作情報と日時情報を取得して、動作情報と日時情報を情報処理装置３０１に送信する。当該動作情報と日時情報は、それぞれ、第一動作情報、第一日時情報とする。図４は、第一動作情報の識別番号「１」、動作時間「３」および動作モード「床掃除モード」を示す。図５は、第一日時情報の、識別番号「１」、動作日「２月２４日」、動作開始時刻「９：００」、動作終了時刻「１２：００」を示す。
【００３９】
また、洗濯機３０３の動作情報構成部は、洗濯機３０３のスタートボタン等を入力指示したときの動作開始時刻と終了ボタン等を入力指示したときの動作終了時刻を取得し、当該動作開始時刻と動作終了時刻の差を求め、動作時間を算出する。また、動作情報構成部は、動作モードボタンを入力指示したときの動作モード、例えば、頑固汚れモード、普通モード等を取得する。また、日時情報は、識別番号、洗濯機３０３が動作した動作日と、動作開始時刻、動作終了時刻等を有する。動作情報構成部は、動作日、動作開始時刻、動作終了時刻を取得する。なお、洗濯機３０３は、時計を有する。
【００４０】
洗濯機３０３の動作情報記録部は、動作情報構成部が構成した動作情報と日時情報を動作情報構成部から取得し、動作情報記録部に内蔵のメモリに記録する。この動作情報は識別番号と動作時間と動作モード等を有する。識別番号は、洗濯機３０３の場合、２とする。
【００４１】
洗濯機３０３の動作情報送信部は、動作情報記録部から動作情報と日時情報を取得して、動作情報と日時情報を情報処理装置３０１に送信する。当該動作情報と日時情報は、それぞれ、第二動作情報、第二日時情報とする。図６は、第二動作情報の識別番号「２」、動作時間「２」、動作モード「頑固汚れモード」を示す。図７は、第二日時情報の識別番号「２」、動作日「２月２４日」、動作開始時刻「１３：００」、動作終了時刻「１５：００」を示す。
【００４２】
情報処理装置３０１の動作情報受信部は、動作情報と日時情報を受信する。動作情報受信部は、掃除機３０２から第一動作情報、第一日時情報を、洗濯機３０３から第二動作情報、第二日時情報を受信する。
【００４３】
次に、動作情報蓄積部は、受信した動作情報と日時情報を対応付けて、蓄積する。つまり、動作情報蓄積部は、掃除機３０２の情報である、第一動作情報と第一日時情報を対応付けて、蓄積する。また、洗濯機３０３の情報である第二動作情報、第二日時情報を対応づけて蓄積する。
【００４４】
次に、情報処理装置３０１の有する時計が、算出開始時刻になったとき、労働料金算出部は、動作情報蓄積部から第一動作情報を取得し、当該第一動作情報に基づいて、労働料金を算出する。この算出開始時刻は、２１：００である。具体的には、労働料金算出部は、第一動作情報が有する、識別番号と動作モードを検索キーとして、予め情報処理装置に内蔵のメモリに記録されている、該当する単位時間当たりの料金を取得する。図８は、単位時間当たりの料金データの例を示す。図８において、労働料金算出部は、第一動作情報が有する識別番号「１」と動作モード「床掃除モード」を検索キーとして、該当する単位時間当たりの料金「２０００」を検索する処理を行う。
【００４５】
次に、労働料金算出部は、取得した単位時間当たりの料金と動作情報が有する動作時間を乗算して、労働料金を算出する。図８において、単位時間当たりの料金「２，０００」であり、当該「２，０００」と動作時間「３」を乗算して、労働料金「６，０００」を算出する。
【００４６】
なお、単位時間当たりの料金は、電子機器（識別番号）ごとに異なるものであり、かつ、動作モード等によっても異なるものである。
【００４７】
次に、労働料金算出部は、次に、蓄積された第二動作情報、第二日時情報を取得し、当該第二動作情報が有する識別番号と動作モードを検索キーとして、同様の検索処理を行い、労働料金を算出する。
【００４８】
労働料金算出部は、蓄積した動作情報と日時情報が存在しなくなるまで、動作情報と日時情報を取得し、労働料金の算出を繰り返す
【００４９】
次に、動作情報出力部は、動作情報蓄積部から動作情報と日時情報を取得して、動作情報と日時情報を、情報処理装置が有するディスプレイに出力する。また、労働料金出力部は、労働料金算出部から労働料金を取得して、労働料金を情報処理装置が有するディスプレイに出力する。図９は、本日の家事労働の表示例を示す。図９において、本日の家事労働の表示内容は、日付が「２月２４日」、電子機器が「掃除機」、動作開始時刻が「９：００」、動作開始時刻が「１２：００」、動作時間が「３」、動作モードが「床掃除モード」、労働料金が「￥６，０００」である。
【００５０】
なお、本実施の形態において、単位時間当たりの料金は、予め情報処理装置に内蔵のメモリに記録されているものだったが、この単位時間当たりの料金が、外部装置から送信されて、情報処理装置が取得する、または、手動で単位時間当たりの料金を入力する等、カスタマイズできるものである。
【００５１】
また、本実施の形態において、労働料金算出部は、動作情報に基づいて、労働料金を算出するものだったが、労働料金算出部は、動作情報と日時情報に基づいて労働料金を算出するものでも良い。労働料金算出部は、日時情報が有する日付（例えば、３月２日）に相当する曜日を労働料金算出部が具備するカレンダー情報から取得し、当該取得した曜日（例えば、日曜日）に応じて、労働料金を割り増しする算出を行う。例えば、曜日が日曜日である場合、労働料金は、動作情報から算出した労働料金に１．３を乗算して算出した値となる。この１．３は、曜日が平日の場合には、１．０を乗算する等、任意の値である。
また、本実施の形態において、労働料金算出部は、現時刻が労働料金の算出開始時刻か否かを判断して算出を開始するものだったが、動作情報蓄積部が動作情報を蓄積したら、労働料金算出部が動作情報蓄積部から動作情報を取得して、算出を開始するものでも良い。
【００５２】
また、本実施の形態において、動作情報と日時情報は、ディスプレイに表示するものだったが、動作情報出力部が、音等で動作情報と日時情報を知らせる態様、または、印刷する態様でも良い。また、他の装置に、動作情報と日時情報を送信する態様でも良い。かかる出力制御は、他の実施の形態においても同様である。
【００５３】
また、本実施の形態において、労働料金は、ディスプレイに表示するものだったが、労働料金出力部が、音等で労働料金を知らせる態様、または、印刷する態様でも良い。また、他の装置に、労働料金を送信する態様でも良い。かかる出力制御は、他の実施の形態においても同様である。
【００５４】
また、本実施の形態において、情報処理装置は、動作情報蓄積部は動作情報と日時情報を蓄積するものであったが、別の情報処理装置が、蓄積された動作情報と日時情報を利用する場合に、動作情報蓄積部がＤＶＤやＩＣカード等の記録媒体を有して、かかる記録媒体を移動させて、別の情報処理装置で動作情報を出力するものでも良い。また、情報処理装置が、ネットワークカードとそのドライバーソフト等を有して構成され、動作情報蓄積部に蓄積された動作情報と日時情報を別の情報処理システムに送信する態様でも良い。
【００５５】
また、本実施の形態において、情報処理装置は、掃除機と洗濯機の２つから動作情報と日時情報を受信するものだったが、他の電子機器でも良く、また、３つ以上の電子機器から情報を受信できることは言うまでもない。
【００５６】
以上、本実施の形態において、２以上の電子機器から動作情報と日時情報を受信し、動作情報と日時情報から、労働時間を算出する情報処理装置であって、かかる情報処理装置により、家庭内の労働料金を、自動的にかつ正確に算出し、算出した労働料金を蓄積し、出力できるものである。また、労働料金を、算出し、出力することで、家庭の主婦や家政婦、掃除業者等の、労働等を正確に評価できるものである。労働料金を正確に評価できるため、夫が妻の労働や苦労等を理解して、家庭円満に役立つものである。
【００５７】
なお、本実施の形態において説明した情報処理装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における情報処理装置の動作をソフトウェアで実現した場合のプログラムは、以下のようになる。コンピュータに、２以上の電子機器から当該電子機器の動作に関する情報である動作情報を２以上受信する動作情報受信ステップと、２以上の動作情報を出力する動作情報出力ステップを実行させるためのプログラムである。
【００５８】
また、コンピュータに、２以上の電子機器から当該電子機器の動作に関する情報である動作情報を２以上受信する動作情報受信ステップと、２以上の動作情報を出力する動作情報出力ステップと、動作情報に基づいて労働料金を算出する労働料金算出ステップと、労働料金を出力する労働料金出力ステップを実行させるためのプログラムである。なお、プログラムは、アプリケーションサービスプロバイダーのサーバ装置に格納されており、動作情報から労働料金を算出するサービスをアプリケーションサービスプロバイダーが行っても良い。かかることは他の実施の形態においても同様である。
【００５９】
（実施の形態２）
図１０は、本実施の形態における情報処理システム１０００のブロック図である。本情報処理システム１０００は、掃除機１００１および情報処理装置１００２を有する。掃除機１００１は、無線タグリーダー１００１１、掃除者識別情報受信部１００１２、場所情報送信部１００１３を有する。情報処理装置１００２は、場所情報受信部１００２１、掃除者識別情報受信部１００２２、掃除対象場所情報格納部１００２２、労働料金算出部１００２３、掃除場所出力部１００２４、労働料金出力部１００２５を有する。
【００６０】
無線タグリーダー１００１１は、場所情報を受信する。場所情報とは、掃除した場所、または掃除した場所近辺に貼付されている無線タグから場所を識別する情報である。例えば、無線タグが、リビングの床等に貼付されている場合には、場所情報は、リビングの識別番号（例えば、１００）等の情報である。場所情報のデータ構造等は、問わない。
【００６１】
掃除者識別情報受信部１００１２は、掃除者識別情報を受信する。掃除者識別情報とは、掃除者を識別する情報である。掃除者識別情報は、例えば、無線タグから送信される識別子、人の固有の情報である指紋情報、眼球の光彩情報、声紋情報等や、掃除者ごとに登録する暗証番号等の情報である。指輪や腕時計等が無線タグを有して識別子を送信する場合、掃除者識別情報受信部１００１２は、無線タグリーダーで構成され実現できる。また、掃除者識別情報受信部１００１２は、例えば、指紋検出手段、眼球の虹彩検出手段、声紋検出手段、暗証番号認識手段入力、識別番号認識手段等から構成されて、掃除者識別情報を受信することで実現できる。
【００６２】
場所情報送信部１００１３は、場所情報と掃除者識別情報を、情報処理装置１００２に送信する。場所情報送信部１００１３は、例えば、ネットワークカードとそのドライバーソフト等から構成される。
【００６３】
場所情報受信部１００２１は、場所情報と掃除者識別情報を受信する。場所情報受信部１００２１は、例えば、ネットワークカードとそのドライバーソフト等から構成され。
【００６４】
掃除対象場所情報格納部１００２２は、掃除対象場所情報を格納する。掃除対象場所情報とは、掃除対象場所を示す情報であり、例えば、リビング、キッチン、寝室、書斎、子供部屋、和室等である。なお、掃除対象場所情報のデータ構造等は、問わない。掃除対象場所情報は、予め格納されているものでも良いし、情報処理装置がタッチパネル等の入力手段等を有して人が入力することで、掃除対象場所情報を取得し、掃除対象場所情報格納部１００２２に格納するものでも良く。また、掃除対象場所情報処理装置が外部装置からの情報取得手段等を有して、掃除対象場所情報を取得し、掃除対象場所情報格納部１００２２に格納するものでも良く、カスタマイズできるものである。掃除対象場所情報格納部１００２２は、不揮発性の記録媒体が好適であるが、揮発性の記録媒体でも良い。掃除対象場所情報格納部１００２２は、具体的には、ＤＶＤ（Ｄｉｇｉｔａｌ  Ｖｅｒｓａｔｉｌｅ  Ｄｉｓｃ）などが好適である。
【００６５】
労働料金算出部１００２３は、場所情報受信部１００２１が受信した場所情報と掃除者識別情報を取得し、当該場所情報又は掃除者識別情報に基づいて、労働料金を算出する。詳細は後述する。労働料金算出部１００２３は、通常、ソフトウェアから構成されるが、ハードウエア（専用回路）により実現しても良い。なお、労働料金算出部１００２３は、場所情報と掃除者識別情報に基づいて労働料金を算出するものだが、掃除機の動作に関する情報である動作情報から労働料金を求めても良い。かかる場合、掃除機１００１は、動作情報を構成する動作情報構成部を具備し、場所情報送信部１００１４は、動作情報を場所情報と対応付けて送信するものである。ここで、動作情報とは、掃除機の動作に関する情報であり、例えば、識別子、動作時間、動作回数、動作モード、使用した機能等を有する。
【００６６】
掃除場所出力部１００２４は、掃除対象場所情報と場所情報と掃除者識別情報とを対応づけて出力する。この出力とは、ディスプレイ等への表示が好適であるが、スピーカーからの音出力やプリンタへの印刷でも良い。掃除場所出力部１００２４は、例えば、ディスプレイとそのドライバーソフトにより実現され得る。また、掃除場所報出力部１００２４は、ディスプレイ等の出力デバイスを含まなくても良い。かかる場合、掃除場所出力部１００２４は、情報処理装置が有する、または、外付けのディスプレイに掃除対象場所情報と場所情報と掃除者識別情報とを出力指示する。さらに、掃除場所出力部１００２４は、掃除対象場所情報と場所情報と掃除者識別情報を音で出力する場合には、スピーカーとそのドライバーソフトを有しても良い。また、掃除場所出力部１００２４は、外部の情報処理装置等に送信等することでも良い。かかる場合、掃除場所出力部１００２４は、ネットワークカードとそのドライバーソフト等により実現される。
【００６７】
労働料金出力部１００２５は、労働料金算出部１００２３が算出した労働料金を掃除者識別情報に対応づけて出力する。この出力とは、ディスプレイ等への表示が好適であるが、スピーカーからの音出力やプリンタへの印刷でも良い。労働料金出力部１００２５は、例えば、ディスプレイとそのドライバーソフトにより実現され得る。また、労働料金出力部１００２５は、ディスプレイを含まなくても良い。かかる場合、労働料金出力部１００２５は、情報処理装置が有する、または、外付けのディスプレイに労働料金を出力指示する。さらに、労働料金出力部１００２５は、労働料金を音で出力する場合には、スピーカーとそのドライバーソフトを有しても良い。また、労働料金出力部１００２５は、外部の情報処理装置等に送信等することでも良い。かかる場合、動作情報出力部１０２６は、ネットワークカードとそのドライバーソフト等を有して実現できる。
【００６８】
以下、本実施の形態における情報処理システム１０００の動作につい図１１と図１２のフローチャートを用いて説明する
【００６９】
以下に、図１１のフローチャートを用いて掃除機１００１の動作について説明する。
【００７０】
（ステップＳ１１０１）掃除者識別情報受信部１００１２は、掃除者識別情報を受信したか否かを判断する。当該掃除者識別情報を受信すれば、ステップＳ１１０２に行き、当該掃除者識別情報を受信しなければ、ステップＳ１１０１に戻る。
【００７１】
（ステップＳ１１０２）場所情報受信部１００１１は、場所情報を受信したか否かを判断する。当該場所情報を受信すれば、ステップＳ１１０３に行き、当該場所情報を受信しなければ、ステップＳ１１０２に戻る。
【００７２】
（ステップＳ１１０３）場所情報送信部１００１３は、場所情報と掃除者識別情報を、情報処理装置１００２に送信する。
【００７３】
（ステップＳ１１０４）掃除機１００１は、掃除機１００１が有する終了ボタンから終了の入力指示を受け付けたか否かを判断する。終了の入力指示を受け付けた場合、掃除機１００１の動作は終了する。終了の入力指示を受け付けない場合、ステップＳ１１０１に戻る。
【００７４】
次に、図１２のフローチャートを用いて情報処理装置１００２の動作について説明する。
【００７５】
（ステップＳ１２０１）場所情報受信部１００２１は、場所情報と掃除者識別情報を受信したか否かを判断する。当該場所情報を受信すれば、ステップＳ１２０２に行き、当該場所情報を受信しなければ、ステップＳ１２０１に戻る。
【００７６】
（ステップＳ１２０２）労働料金算出部１００２３は、場所情報と掃除者識別情報に基づいて、労働料金の取得をする。労働料金算出部１００２３は、例えば、場所情報が有する場所識別番号を検索キーとして、予め情報処理装置１００２１に内蔵のメモリに記録されている場所識別番号と労働料金のデータを検索する。この検索の結果、該当する場所識別番号の労働料金を取得する。なお、この労働料金は、例えば、掃除した場所により異なる値であっても良い。労働料金算出部１００２３は、取得した労働料金を場所情報と掃除者識別情報と対応づけて、メモリに一時蓄積する。
【００７７】
（ステップＳ１２０３）掃除場所出力部１００２４は、掃除対象場所情報格納部１００２２から、掃除対象場所情報を取得する。
【００７８】
（ステップＳ１２０６）掃除場所出力部１００２４は、ステップＳ１２０１で受信した場所情報と掃除者識別情報とステップＳ１２０５で取得した掃除対象場所情報を出力する。
【００７９】
（ステップＳ１２０５）労働料金出力部１００２５は、ステップＳ１２０２で算出した労働料金を出力する。この出力後、動作は終了する。
【００８０】
以上、情報処理システム１０００の動作を図１１と図１２のフローチャートを用いて説明した。なお、図１１と図１２のフローチャートにおいて、掃除機１００１と情報処理装置１００２の電源がＯＮ状態である。なお、本実施の形態においては、掃除場所出力部１００２４は、場所情報と掃除者識別情報と掃除対象場所情報を同時に出力するものだったが、場所情報と掃除対象場所情報のみ、または、場所情報と掃除者識別情報のみ、又は、場所情報のみ、掃除者識別情報のみ等を出力するものでも良い。また、労働料金のみの出力でも良い。
【００８１】
以下、本実施の形態における情報処理システムの掃除機１３０１と情報処理装置１３０４の具体的な動作について説明する。
【００８２】
図１３は、掃除機１３０１と情報処理装置１３０４の外観を示す図である。図１３において、掃除者「母Ａ」１３０５は、リビング（リビングの場所識別番号は、「１００」）を掃除している。掃除機１３０１は、指輪１３０２から掃除者識別情報を受信する。具体的に、指輪１３０２は、無線タグを有し、この無線タグが掃除者識別情報を掃除機１３０１に送信する。掃除機１３０１の無線タグリーダーを具備する掃除者識別情報受信部は、掃除者識別情報を受信し、バッファに蓄積する。ここで、掃除者識別情報は、「母Ａ」である。また、掃除機１３０１は、場所情報（リビングの場所識別番号は、「１００」）を有する無線タグ１３０３から場所情報を受信する。具体的に、無線タグリーダーは、掃除機の吸い込み口の近傍に設置されている。この掃除機の吸い込み口が、無線タグ１３０３の近傍に来たときに、無線タグリーダーは、無線タグ１３０３から場所情報を受信し、一時蓄積する。ここで、場所情報は、場所識別番号「１００」である。図１４において、一時蓄積された場所情報「１００」と掃除者識別情報「母Ａ」を示す。
【００８３】
また、掃除機１３０１と情報処理装置１３０４は、それぞれ、無線通信手段を有して、掃除機１３０１が動作情報と掃除者識別情報を送信し、情報処理装置１３０４が動作情報と掃除者識別情報を受信する構成である。
【００８４】
次に、場所情報送信部は、場所情報と掃除者識別情報を、情報処理装置１３０４に送信する。
【００８５】
次に、掃除者「母Ａ」が、リビングからダイニングに移動して、掃除をした場合、場所情報受信部は、ダイニングの床に設置した無線タグから場所情報を受信する。そして、場所情報受信部は、場所情報と掃除者識別情報を対応づけて一時蓄積する。図１５は、蓄積された場所情報「２００」と掃除者識別情報「母Ａ」を示す。そして、場所情報送信部は、場所識別番号「２００」と掃除者識別情報「母Ａ」を送信する。
【００８６】
なお、掃除者が変わり、祖母Ｂの場合、掃除者識別情報受信部は、祖母Ｂの無線タグを有する指輪から、掃除者識別情報「祖母Ｂ」を受信する。場所情報受信部は、場所情報を受信する。
【００８７】
掃除機は、終了ボタンに終了の入力指示が行われるまで、以上の動作を繰り返す。
【００８８】
なお、本実施の形態において掃除機は、場所情報と掃除者識別情報を受信して、場所情報と掃除者識別情報を対応づけて、情報処理装置に送信するものであったが、掃除機が場所情報と掃除者識別情報を対応づけて、記録媒体に蓄積しても良い。かかる場合、掃除機は、さらに場所情報と掃除者識別情報を対応づけて、あるいは、場所情報のみを蓄積する場所情報蓄積部を有する。場所情報蓄積部は、通常、ソフトウェアから構成されるが、ハードウエア（専用回路）により実現しても良い。この記録媒体は、不揮発性の記録媒体が好適であるが、揮発性の記録媒体でも良い。この蓄積した情報をＩＣカード等の記録媒体に記録し、このＩＣカードの情報を外部の（本実施の情報処理システム以外の）情報処理装置等が読み込んで、かかる情報処理装置等が、場所情報を視覚化して出力でき、また場所情報に基づいて労働料金を算出できるものである。
【００８９】
また、掃除機は、蓄積した情報を出力する場所情報出力部をさらに具備して場所情報と掃除者識別情報を対応づけて、あるいは、場所情報のみ出力するもので良い。この出力は、ディスプレイ等への表示が好適であるが、スピーカーからの音出力やプリンタへの印刷でも良い。場所情報出力部は、例えば、ディスプレイとそのドライバーソフトにより実現され得る。また、場所情報出力部は、ディスプレイを含まなくても良い。かかる場合、場所情報出力部は、情報処理装置が有する、または、外付けのディスプレイに場所情報等を出力指示する。さらに、場所情報出力部は、場所情報等を音で出力する場合には、スピーカーとそのドライバーソフトを有しても良い。
【００９０】
情報処理装置１３０４の場所情報受信部は、場所情報と掃除者識別情報を受信する。
【００９１】
次に労働料金算出部は、場所情報受信部が受信した場所情報の場所識別番号「１００」を取得する。図１６は、掃除場所と労働料金のデータと検索キーの場所情報を示す。図１６において、労働料金算出部は、取得した場所情報の場所識別番号「１００」を検索キーとして、予め情報処理装置に内蔵のメモリに記録している掃除場所と労働料金のデータから、該当する掃除場所の労働料金「３，０００」を取得する。
【００９２】
労働料金算出部は、次に場所情報受信部が受信した場所情報の場所識別番号「２００」を取得する。労働料金算出部は、場所識別番号「２００」を検索キーとして、掃除場所と労働料金のデータから、該当する掃除場所の労働料金「１，０００」を取得する。
【００９３】
次に、掃除場所出力部は、場所情報受信部が受信した場所情報と掃除者識別情報を取得する。また、掃除対象場所情報格納部から掃除対象場所情報を取得する。図１７は、掃除対象場所情報の例を示す。図１７において、掃除対象場所情報は、例えば、場所識別番号「１００」で識別される掃除対象場所は「リビング」であること、および、場所識別番号「２００」で識別される掃除対象場所は「ダイニング」であること等を示す。
【００９４】
次に、掃除場所出力部は、場所情報と掃除者識別情報と掃除対象場所情報を対応付けて、出力する。この出力は、情報処理装置が有するディスプレイに出力指示するものである。具体的には、掃除場所出力部は、場所識別番号「１００」を検索キーとして、掃除対象場所情報が有する部屋の見取り図の座標のデータから、該当する部屋の見取り図の座標を取得する。そして、掃除場所出力部は、取得した座標と一致する情報処理装置に予め記録してある部屋の見取り図の座標が示す領域に、掃除者識別情報を合成する。そして、部屋の見取り図と掃除者識別情報を表示する出力指示を行う。図１７において、掃除場所出力部は、場所識別番号「１００」を検索キーとして、部屋の見取り図の座標データを検索し、該当する部屋の見取り図の座標「（ｘ１，ｙ１）（ｘ２，ｙ２）」を取得し、かかる座標と一致する部屋の見取り図の座標が示す領域に、掃除者識別情報「母Ａ」を合成する。そして、当該合成した部屋の見取り図と掃除者識別情報を表示する出力指示を行う。ここで、「（ｘ１，ｙ１）（ｘ２，ｙ２）」は、部屋の見取り図におけるリビングの領域を２箇所の２次元座標で特定しているものである。
【００９５】
また、掃除場所出力部は、取得した場所識別番号以外の掃除対処場所に、「×」の表示をする出力指示を行う。具体的には、掃除場所出力部は、場所識別番号を検索キーとして、部屋の見取り図の座標を取得した場合に、その取得した座標データにフラグを立てておき、掃除場所出力部が、フラグの立てていない座標のデータのみを取得する。そして、掃除場所出力部は、フラグの立てていない座標のデータと一致する部屋見取り図の座標が示す領域に、「×」を合成して、部屋見取り図と「×」を表示する出力指示を行う。図１８は、本日の家事労働の表示の例を示す。図１８において、本日の家事労働の表示は、部屋の見取り図を示し、リビングとダイニングと和室と子供部屋に掃除者識別情報を表示し、寝室、書斎、台所、廊下に、「×」を表示する。リビングの場合、掃除者識別情報「母Ａ」を表示する。
【００９６】
次に、労働料金出力部は、労働料金算出部が取得した労働料金と対応する場所情報の場所識別番号「１００」を取得し、当該労働料金と対応する場所情報を出力する。この出力は、情報処理装置が有する、ディスプレイに出力指示するものである。具体的に、労働料金出力部は、場所識別番号毎に掃除場所出力部が取得した部屋の見取り図の座標データ（リビングの場合、座標「（ｘ１，ｙ１）（ｘ２，ｙ２）」）を取得して、この取得した部屋の見取り図の座標データと一致する部屋の見取り図の部屋の領域に、対応する労働料金（リビングの場合、「￥３，０００」）を合成する。そして、部屋見取り図と労働料金を表示する出力指示を行う。図１８において、労働料金出力部は、リビングとダイニングと和室と子供部屋に労働料金を表示する。リビングの場合、労働料金「￥３，０００」を表示する。
【００９７】
なお、本実施の形態において、場所情報と掃除者識別情報をディスプレイに表示するものだったが、場所情報出力部が、音等で場所情報と掃除者識別情報を知らせる態様、または、印刷する態様でも良い。また、他の装置に、場所情報と掃除者識別情報を送信する態様でも良い。かかる出力制御は、他の実施の形態においても同様である。
【００９８】
また、本実施の形態において、掃除機１３０１は、同一の無線タグから同一の場所情報を無線タグリーダーが取得した場合に、場所情報送信部は、かかる同一の場所情報を送信する。情報処理装置の場所情報受信部は、場所情報を受信し、そのときの受信時刻を記録する。労働料金算出部は、かかる場所情報の場所識別番号と対応する受信時刻に基づいて、労働料金を算出する。労働料金算出部は、受信時刻を読み込み、受信時刻が、次の受信時刻と一定時間の範囲である場合には、労働料金に補正係数を乗算する処理を行う。これは、掃除者が、必要以上に同じ場所を掃除していて、適切な掃除を行っていないと判断できるからである。例えば、労働料金算出部は、場所識別番号を検索キーとして取得した「３，０００」に、補正係数の「０．８」を乗算して、労働料金「２，４００」を算出するものである。ここで、一定値は、例えば、５分等の任意の値である。また、補正係数は、例えば、「０．８」等の任意の値である。かかる場合に、情報処理装置は、時計を具備し、場所情報を受信したときに対応する受信時刻に基づいて、労働料金を算出する労働料金算出部と、労働料金と正しい掃除をしていない旨の出力をする労働料金出力部を有する。
【００９９】
以上、本実施の形態において、場所情報と掃除者識別情報を受信し、情報処理装置に送信する掃除機と、当該掃除機から場所情報と掃除者識別情報を受信し、場所情報と掃除者識別情報から、労働時間を取得する情報処理装置を有する情報処理システムであって、かかる情報処理システムにより、家庭内の労働に対する料金を、自動的にかつ正確に算出できるものである。また、場所情報と掃除者識別情報と労働料金を、出力することで、視覚的に掃除をした場所と掃除をしていない場所を区別できるものである。また、家庭の主婦や家政婦、掃除業者等の、労働等を正確に評価できるものである。なお、情報処理システムは、家庭内の労働を視覚化し、労働料金を算出するものに限らず、公共施設や商業ビル等のその他の場所においても使用できるものである。
【０１００】
なお、本実施の形態において、無線タグは、部屋の床の一箇所に設置してあるものだったが、部屋の床の隅付近に、または、部屋の壁や、天井に設置しても良く、設置場所は問わない。また、複数の無線タグを設置しても良い。かかる場合、床に一定間隔にて無線タグを配列する。そして、受信した無線タグの識別番号をキーとして、該当する部屋の座標を検索する。当該検索した座標と一致する見取り図の座標の領域に、掃除済みである旨の「済」を合成して出力する。これにより、部屋のどの部分を掃除したかを明確にすることができ、部屋のどこを重点的に掃除すればよいのかを知ることができる。また、受信した無線タグの数量（床面積単位に応じて）や、無線タグの設置場所に応じて労働料金を算出することもできる。具体的に、受信した無線タグ数量（例えば１０個）に、予めメモリに記録してある単位数量あたりの料金（１００）を乗算して算出する。また、例えば、部屋の隅に設置された無線タグから情報を受信した場合は、高い料金が加算される、などでも良い。かかる実施の態様は、他の実施の形態においても同様である。
【０１０１】
さらに、本実施の形態における掃除機の動作をソフトウェアで実現した場合のプログラムは、以下のようになる。コンピュータに、掃除した場所、または掃除した場所近辺に貼付されている無線タグから場所を識別する情報である場所情報を受信する場所情報受信ステップと、場所情報を情報処理装置に送信する場所情報送信ステップを実行させるためのプログラムである。
【０１０２】
また、コンピュータに、掃除者を識別する情報である掃除者識別情報を受信する掃除者識別情報受信ステップと、掃除した場所、または掃除した場所近辺に貼付されている無線タグから場所を識別する情報である場所情報を受信する場所情報受信ステップと、場所情報と掃除者識別情報を情報処理装置に送信する場所情報送信ステップを実行させるためのプログラムである。
【０１０３】
また、本実施の形態における情報処理装置の動作をソフトウェアで実現した場合のプログラムは、以下のようになる。コンピュータに、場所情報を受信する場所情報受信ステップと、場所情報受信ステップで受信した場所情報に基づいて、掃除した場所に関する情報を出力する掃除場所出力ステップを実行させるためのプログラムである。
【０１０４】
また、コンピュータに、掃除者を識別する情報である掃除者識別情報と、場所情報を受信する場所情報受信ステップと、場所情報受信ステップで受信した場所情報に基づいて、掃除した場所に関する情報と掃除者識別情報を出力する掃除場所出力ステップを実行させるためのプログラムである。
【０１０５】
また、コンピュータに、場所情報を受信する場所情報受信ステップと、場所情報受信ステップで受信した場所情報に基づいて、掃除した場所に関する情報を出力する掃除場所出力ステップと、場所情報に基づいて労働料金を算出する労働料金算出ステップと、労働料金を出力する労働料金出力ステップを実行させるためのプログラムである。
【０１０６】
（実施の形態３）
図１９は、本実施の形態における情報処理システム１９００のブロック図である。本情報処理システムは、掃除機１９１０および情報処理装置１９２０を有する。掃除機１９１０は、無線タグリーダー１００１１、掃除者識別情報受信部１００１２、ゴミセンサー部１９１１、ゴミ量情報蓄積部１９１２、場所情報送信部１９１３を有する。情報処理装置１９２０は、場所情報受信部１９２１、掃除対象場所情報格納部１００２２、労働料金算出部１９２２、掃除場所出力部１９３３、労働料金出力部１００２５を有する。
【０１０７】
ゴミセンサー部１９１１は、吸い込むゴミの量に関する情報であるゴミ量情報を取得する。ゴミ量情報とは、例えば、ゴミの量（大、中、小）、ゴミの有無等の情報を有する。ゴミセンサー部１９１１は、赤外線センサーを具備して、例えば、吸い込み口から吸い込まれたゴミ（集塵）を赤外線センサーで検出して、ゴミの量を算出する手段等で実現できる。かかる場合、ゴミセンサー部１９１１は、通常、ソフトウェアから構成されるが、ハードウエア（専用回路）により実現しても良い。また、ゴミセンサー部１９１１は、掃除機のゴミ収納部にゴミ量（嵩の高さ等）を検出する非接触の近接センサー、赤外線センサー等で実現できる。
【０１０８】
ゴミ量情報蓄積部１９１２は、ゴミセンサーが取得したゴミ量情報を取得し、記録媒体に蓄積する。ゴミ量情報蓄積部１９１２は、通常、ソフトウェアから構成されるが、ハードウエア（専用回路）により実現しても良い。この記録媒体は、不揮発性の記録媒体が好適であるが、揮発性の記録媒体でも良い。また、この蓄積は、一時的に、キャッシュやメモリ等に記録することを含む。
【０１０９】
場所情報送信部１９１３は、場所情報、掃除者識別情報およびゴミ量情報を、情報処理装置１９２０に送信する。場所情報送信部１９１３は、例えば、ネットワークカードとそのドライバーソフト等から構成される。
【０１１０】
場所情報受信部１９２１は、場所情報、掃除者識別情報およびゴミ量情報を受信する。場所情報受信部１９２１は、例えば、ネットワークカードとそのドライバーソフト等から構成される。
【０１１１】
労働料金算出部１９２２は、場所情報受信部１９２１が受信した場所情報と掃除者識別情報およびゴミ量情報から、労働料金を算出する。詳細は後述する。また、労働料金算出部１９２２は、実施の形態２と同様に労働料金を取得するものでもよく、また、場所情報とゴミ量情報から労働料金を求めても良い。かかる場合、労働料金算出部１９２２は、例えば、場所識別番号を検索キーとして、検索した結果の労働料金に、ゴミ量情報が有する補正値を乗算して労働料金を算出する。ここで、補正値は、労働料金算出部１００２３に予め記録した任意の値であり、例えば、受信したゴミ量が「大」の場合、補正値は、「１．５」であり、ゴミ量が「小」の場合、補正値は、「０．８」等である。
【０１１２】
掃除場所出力部１００２４は、掃除対象場所情報、場所情報、掃除者識別情報およびゴミ量情報を対応づけて出力する。この出力態様は、実施の形態２と同様である。
【０１１３】
以下、本実施の形態における情報処理システム１９００の動作について図２０と図２１のフローチャートを用いて説明する。
【０１１４】
以下に、図２０のフローチャートを用いて掃除機１９１０の動作について説明する。
【０１１５】
（ステップＳ２００１）掃除者識別情報受信部１００１２は、掃除者識別情報を受信したか否かを判断する。当該掃除者識別情報を受信すれば、ステップＳ２００２に行き、当該掃除者識別情報を受信しなければ、ステップＳ２００１に戻る。
【０１１６】
（ステップＳ２００２）場所情報受信部１００１１は、場所情報を受信したか否かを判断する。当該場所情報を受信すれば、ステップＳ２００３に行き、当該場所情報を受信しなければ、ステップＳ２００２に戻る。
【０１１７】
（ステップＳ２００３）ゴミ量情報受信部１９１１は、ゴミ量情報を取得する。
【０１１８】
（ステップＳ２００４）ゴミ量情報蓄積部１９１２は、ステップＳ２００３で取得したゴミ量情報と場所情報と掃除者識別情報を対応付けて、蓄積する。
【０１１９】
（ステップＳ２００５）場所情報送信部１９１３は、ステップＳ２００４で蓄積された場所情報、掃除者識別情報およびゴミ量情報を対応付けて、情報処理装置１９２０に送信する。
【０１２０】
（ステップＳ２００６）掃除機１９１０は、掃除機１９１０が有する終了ボタンから終了の入力指示を受け付けたか否かを判断する。終了の入力指示を受け付けた場合、掃除機１９１０の動作は終了する。終了の入力指示を受け付けない場合、ステップＳ２００１に戻る。
【０１２１】
次に、図２１のフローチャートを用いて情報処理装置１９２０の動作について説明する。
【０１２２】
（ステップＳ２１０１）場所情報受信部１９２１は、場所情報、掃除者識別情報およびゴミ量情報を受信したか否かを判断する。当該場所情報等を受信すれば、場所情報受信部１９２１に内蔵のメモリに蓄積する。そして、ステップＳ２１０２に行く。当該場所情報等を受信しなければ、ステップＳ２１０１に戻る。
【０１２３】
（ステップＳ２１０２）労働料金算出部１９２２は、現時刻が労働料金の算出開始時刻か否かを判断する。労働料金算出部１９２２は、例えば、現時刻が２１：００であり、算出開始時刻が２１：００であれば、労働料金の算出を開始する。この算出開始時刻は、情報処理装置１９２０に内蔵のメモリに予め記録した時刻でも良く、外部から入力するものでも良い。労働料金算出部１９２２は、現時刻が算出開始時刻であれば、ステップＳ２１０３に行く。現時刻が算出開始時刻でなければ、ステップＳ２１０１に戻る。
【０１２４】
（ステップＳ２１０３）労働料金算出部１９２２は、カウンタｉを、１に初期化する。
【０１２５】
（ステップＳ２１０４）労働料金算出部１９２２は、ｉ番目の場所情報、掃除者識別情報およびゴミ量情報が存在するか否かを判断する。ｉ番目の場所情報、掃除者識別情報およびゴミ量情報が存在する場合、ステップＳ２１０５に行く。ｉ番目の場所情報、掃除者識別情報およびゴミ量情報が存在しない場合、ステップＳ２１０１に戻る。
【０１２６】
（ステップＳ２１０５）労働料金算出部１９２２は、ｉ番目と（ｉ−１）番目の場所情報が一致するか否かを判断する。一致する場合、ステップＳ２１１０に行く。一致しない場合、ステップＳ２１０６に行く。
【０１２７】
（ステップＳ２１０６）労働料金算出部１９２２は、ｉ番目の場所情報と掃除者識別情報に基づいて、労働料金を取得する。労働料金算出部１９２２は、例えば、場所情報が有する場所識別番号を検索キーとして、予め情報処理装置１９２０に内蔵のメモリに記録されている場所識別番号と労働料金のデータを検索する。この検索の結果、該当する場所識別番号の労働料金を取得する。なお、この労働料金は、例えば、掃除した場所により異なる値であっても良い。労働料金算出部１９２２は、取得した労働料金をｉ番目の場所情報と掃除者識別情報と対応づけて、メモリに一時蓄積する。
【０１２８】
（ステップＳ２１０７）掃除場所出力部１９２３は、掃除対象場所情報格納部１００２２から、掃除対象場所情報を取得する。
【０１２９】
（ステップＳ２１０８）掃除場所出力部１９２３は、ｉ番目の場所情報、掃除者識別情報およびゴミ量情報とステップＳ２１０７で取得した掃除対象場所情報を出力する。
【０１３０】
（ステップＳ２１０９）労働料金出力部１００２５は、ステップＳ２１０６で算出した労働料金を出力する。
【０１３１】
（ステップＳ２１１０）労働料金算出部１９２２は、カウンタｉを、１カウントアップすし、ステップＳ２１０４に戻る。
【０１３２】
以上、情報処理システム１９００の動作を図２０と図２１のフローチャートを用いて説明した。なお、図２０と図２１のフローチャートにおいて、掃除機１９１０と情報処理装置１９２０の電源がＯＮ状態である。なお、本実施の形態においては、掃除場所出力部１９３３は、場所情報と掃除者識別情報とゴミ量情報と掃除対象場所情報を同時に出力するものだったが、場所情報と掃除対象場所情報とゴミ量情報のみ、または、場所情報とゴミ量情報と掃除対象場所情報のみ、または、場所情報と掃除者識別情報とゴミ量情報のみ、又は、場所情報とゴミ量情報のみ、場所情報と掃除者識別情報のみ等を出力するものでも良い。また、労働料金のみの出力でも良い。
【０１３３】
以下、本実施の形態における情報処理システムの掃除機と情報処理装置の具体的な動作について説明する。
【０１３４】
図２２は、掃除機２２０１と情報処理装置２２０４の外観を示す図である。図２２において、掃除者「母Ａ」２２０５は、リビング（リビングの場所識別番号は、「１００」）を掃除している。掃除機２２０１は、指輪２２０２から掃除者識別情報を受信する。具体的に、指輪２２０２は、無線タグを有し、この無線タグが掃除者識別情報を掃除機２２０１に送信する。掃除機２２０１の無線タグリーダーを具備する掃除者識別情報受信部は、掃除者識別情報を受信し、バッファに蓄積する。ここで、掃除者識別情報は、「母Ａ」である。また、掃除機２２０１は、場所情報（リビングの場所識別番号は、「１００」）を有する無線タグ２２０３から場所情報を受信する。具体的に、無線タグリーダーは、掃除機の吸い込み口の近傍に設置されている。この掃除機の吸い込み口が、無線タグ２２０３の近傍に来たときに、無線タグリーダーは、無線タグ２２０３から場所情報を受信し、一時蓄積する。ここで、場所情報は、場所識別番号「１００」である。図１４は、一時蓄積された場所情報「１００」と掃除者識別情報「母Ａ」を示す。
【０１３５】
また、掃除機２２０１と情報処理装置２２０４は、それぞれ、無線通信手段を有して、掃除機２２０１が動作情報と掃除者識別情報を送信し、情報処理装置２２０４が動作情報と掃除者識別情報を受信する構成である。
【０１３６】
ゴミセンサー部は、赤外線センサーを具備して、吸い込んだゴミ（集塵）の量を検出する。ゴミの量は、例えば、「大」、または「中」または「小」等の情報である。なお、ゴミ収納部に、ゴミの量を検出する１以上の反射型の赤外線センサーを設置して、この１以上の赤外線センサーが、ゴミ収納部のゴミが集積した高さを検出して、ゴミの量を取得するものでも良い。
【０１３７】
ゴミ量情報蓄積部は、ゴミセンサー部が取得したゴミ量情報、場所情報および掃除者識別情報を対応づけて、蓄積する。図２３は、一時蓄積された場所情報と掃除者識別情報を示す。図２３において、一時蓄積された、場所識別番号「１００」と掃除者識別情報「母Ａ」を示す。
【０１３８】
次に、場所情報送信部は、場所情報、掃除者識別情報およびゴミ量情報を、情報処理装置２２０４に送信する。
【０１３９】
情報処理装置２２０４の場所情報受信部は、場所情報、掃除者識別情報およびゴミ量情報を受信する。
【０１４０】
次に、算出開始時刻が２１：００に設定してあり、現時刻２１：００であれば、労働料金算出部は、労働料金の算出を開始する。この算出開始時刻は、その他の時刻でも良い。
【０１４１】
次に、労働料金算出部は、メモリに蓄積されたｉ番目と（ｉ−１）番目の場所情報、掃除者識別情報およびゴミ量情報を読み込み、それぞれの場所情報が一致しない場合に、場所情報が有する場所識別番号を検索キーとして、予め情報処理装置２２０４に内蔵のメモリに記録されている場所識別番号と労働料金のデータを検索する。この検索の結果、該当する場所識別番号の労働料金を取得する。なお、この労働料金は、例えば、掃除した場所により異なる値であっても良い。労働料金算出部は、取得した労働料金をｉ番目の場所情報と掃除者識別情報と対応づけて、メモリに一時蓄積する。
【０１４２】
また、労働料金算出部は、メモリに蓄積されたｉ番目と（ｉ−１）番目の場所情報が一致する場合には、次の場所情報、掃除者識別情報およびゴミ量情報を読み込み、それぞれの場所情報が一致するか否かの判断を、ｉ番目の場所情報、掃除者識別情報およびゴミ量情報が存在しなくなるまで、繰り返し行う。
【０１４３】
次に、掃除場所出力部は、ｉ番目の場所情報、掃除者識別情報およびゴミ量情報を取得する。また、掃除場所出力部は、掃除対象場所情報格納部から掃除対象場所情報を取得する。この取得する動作は、実施の形態２と同様の動作である。
【０１４４】
次に、掃除場所出力部は、場所情報、掃除者識別情報、掃除対象場所情報、ゴミ量情報を対応づけて、出力する。この出力は、情報処理装置が有するディスプレイに出力指示するものである。具体的には、掃除場所出力部は、例えば、場所識別番号「１００」を検索キーとして、掃除対象場所情報が有する部屋の見取り図の座標のデータから、該当する部屋の見取り図の座標を取得する。そして、掃除場所出力部は、取得した座標と一致する情報処理装置に予め記録してある部屋の見取り図の座標が示す領域に、掃除者識別情報「母Ａ」とゴミ量情報「大」を合成する。そして、部屋の見取り図と掃除者識別情報「母Ａ」とゴミ量情報「大」を表示する出力指示を行う。この処理は、実施の形態２と同様の動作である。
【０１４５】
また、掃除場所出力部は、取得した場所識別番号以外の掃除対処場所に、「×」の表示をする出力指示を行う。この処理は、実施の形態２と同様の動作である。
図２４は、本日の家事労働の表示例を示す。図２４において、部屋の見取り図を示し、リビングとダイニングと和室と子供部屋に掃除者識別情報を表示し、寝室、書斎、台所、廊下に、「×」を表示する。リビングの場合、掃除者識別情報「母Ａ」およびゴミ量情報「大」を表示する。なお、本実施の形態において、掃除場所出力部は、ゴミ量情報「大」を表示するものだったが、このごみ量情報は、情報処理装置のメモリに蓄積されており、例えば、過去５回のごみ量情報を同時に出力するものでもよい。また、過去５回分のごみ量情報に基づいて、一定回以上、ごみ量情報が「大」の場所について、掃除を行う回数を増やすことを指示する旨、他の場所より入念に掃除するように注意する旨等の出力を行うものでも良い。
【０１４６】
次に、労働料金出力部は、実施の形態２の動作と同様の動作である。図２４において、労働料金出力部は、リビングとダイニングと和室と子供部屋に労働料金を表示する。リビングの場合、労働料金「￥３，０００」を表示する。
【０１４７】
以上、本実施の形態において、場所情報、掃除者識別情報およびゴミ量情報を受信し、情報処理装置に送信する掃除機と、当該掃除機から場所情報、掃除者識別情報およびゴミ量情報を受信し、場所情報、掃除者識別情報およびゴミ量情報から、労働時間を取得する情報処理装置を有する情報処理システムであって、かかる情報処理システムにより、家庭内の労働に対する料金を、自動的にかつ正確に算出できるものである。また、場所情報、掃除者識別情報およびゴミ量情報と労働料金を、出力することで、視覚的に掃除をした場所と掃除をしていない場所を区別でき、かつ、掃除機で集塵したゴミの量を確認できるものである。また、家庭の主婦や家政婦、掃除業者等の、労働等を正確に評価できるものである。なお、情報処理システムは、家庭内の労働を視覚化し、労働料金を算出するものに限らず、公共施設や商業ビル等のその他の場所においても使用できるものである。
【０１４８】
さらに、本実施の形態における掃除機の動作をソフトウェアで実現した場合のプログラムは、以下のようになる。コンピュータに、吸い込むゴミの量に関する情報であるゴミ量情報を取得するゴミ量取得ステップと、掃除した場所、または掃除した場所近辺に貼付されている無線タグから場所を識別する情報である場所情報を受信する場所情報受信ステップと、場所情報とゴミ量情報を情報処理装置に送信する場所情報送信ステップを実行させるためのプログラムである。
【０１４９】
また、コンピュータに、吸い込むゴミの量に関する情報であるゴミ量情報を取得するゴミ量取得ステップと、掃除者を識別する情報である掃除者識別情報を受信する掃除者識別情報受信ステップと、掃除した場所、または掃除した場所近辺に貼付されている無線タグから場所を識別する情報である場所情報を受信する場所情報受信ステップと、場所情報と掃除者識別情報とゴミ量情報を情報処理装置に送信する場所情報送信ステップを実行させるためのプログラムである。
【０１５０】
また、本実施の形態における情報処理装置の動作をソフトウェアで実現した場合のプログラムは、以下のようになる。コンピュータに、ゴミ量情報と掃除者識別情報と場所情報を受信する場所情報受信ステップと、場所情報受信ステップで受信した場所情報に基づいて、掃除した場所に関する情報と掃除者識別情報とゴミ量情報を出力する掃除場所出力ステップを実行させるためのプログラムである。
【０１５１】
（実施の形態４）
図２５は、本実施の形態における情報処理システム２５００の構成を示すブロック図である。本情報処理システム２５００は、洗濯機２５１０、情報処理装置２５２０を有する。洗濯機２５１０は、動作情報取得部２５１１、動作情報蓄積部２５１２、動作情報送信部２５１３を有する。情報処理装置２５２０は、動作情報受信部２５２１、労働料金算出部２５２２、動作情報出力部２５２３、労働料金出力部２５２４を有する。
【０１５２】
動作情報取得部２５１１は、動作情報を取得する。動作情報とは、洗濯機の動作に関する情報であり、例えば、洗濯機の識別番号、動作日、動作時間、動作回数、動作モード、使用した機能、洗濯物の重量、洗濯物のセットおよび取り出しに対応する作業時間等を有する。動作日時は、洗濯機が動作した日の情報等であり、例えば、洗濯した日が、２月２８日の場合、動作日は、「２月２８日」である。動作時間とは、洗濯機が洗濯をする時間であり、例えば、洗濯機の洗濯開始ボタン等をＯＮにした時刻からその洗濯終了時刻までの時間等である。なお、洗濯終了時刻は、通常、洗濯開始ボタン等をＯＮにした時刻から、一定時間経過後の時刻等である。また、動作回数とは、一定期間（例えば、１日、１週間等の期間）に洗濯機が動作した回数であり、例えば、「一週間当たりに１回」等の情報を有する。また動作モードとは、洗濯機の動作モードに関する情報であり、例えば、頑固汚れを洗うモード、少ない量の洗濯物を洗うモード、洗濯して乾燥するモード等の情報を有する。また、使用した機能とは、洗濯機の機能に関する情報であり、例えば、乾燥機能や、超音波洗濯機能等を有する情報である。また、洗濯物の重量とは、１回又は複数回の洗濯における洗濯物の重量等の情報である。洗濯物のセットおよび取り出しに対応する作業時間とは、例えば、洗濯機に洗濯物をセットする作業に要した時間および、洗濯機の動作が終了後、洗濯機から洗濯物を取り出す作業または／および洗濯物を干す作業に要した時間等である。動作情報取得部１０３１は、通常、ソフトウェアから構成されるが、ハードウエア（専用回路）により実現しても良い。また、洗濯物の重量を取得する場合に、動作情報取得部２５１１は、重量センサーを具備する。
【０１５３】
動作情報蓄積部２５１２は、動作情報を記録媒体に蓄積する。動作情報蓄積部２５１２は、通常、ソフトウェアから構成されるが、ハードウエア（専用回路）により実現しても良い。この記録媒体は、不揮発性の記録媒体が好適であるが、揮発性の記録媒体でも良い。また、この蓄積は、一時的に、キャッシュやメモリ等に記録することを含む。
【０１５４】
動作情報送信部２５１３は、動作情報を、情報処理装置２５２０に送信する。動作情報送信部２５１３は、例えば、ネットワークカードとそのドライバーソフト等から構成される。
【０１５５】
動作情報受信部２５２１は、動作情報を受信する。動作情報受信部２５２１は、例えば、ネットワークカードとそのドライバーソフト等から構成される。
【０１５６】
労働料金算出部２５２２は、動作情報受信部２５２１が受信した動作情報を取得し、当該動作情報に基づいて、労働料金を算出する。詳細は後述する。労働料金算出部２５２２は、通常、ソフトウェアから構成されるが、ハードウエア（専用回路）により実現しても良い。
【０１５７】
動作情報出力部２５２３は、動作情報受信部２５２１が受信した動作情報を取得し、当該動作情報を出力する。この出力態様は、問わない。具体的には、後述する。この出力とは、ディスプレイ等への表示が好適であるが、スピーカーからの音出力やプリンタへの印刷でも良い。動作情報出力部２５２３は、例えば、ディスプレイとそのドライバーソフトにより実現され得る。また、動作情報出力部２５２３は、ディスプレイ等の出力デバイスを含まなくても良い。かかる場合、動作情報出力部２５２３は、外付けのディスプレイに動作情報と日時情報を出力指示する。さらに、動作情報出力部２５２３は、動作情報と日時情報を音で出力する場合には、スピーカーとそのドライバーソフトを有しても良い。また、動作情報出力部２５２３は、外部の情報処理装置等に送信等することでも良い。かかる場合、動作情報出力部２５２３は、ネットワークカードとそのドライバーソフト等を有して実現される。
【０１５８】
労働料金出力部２５２４は、労働料金算出部２５２２が算出した労働料金を出力する。この出力とは、ディスプレイ等への表示が好適であるが、スピーカーからの音出力やプリンタへの印刷でも良い。労働料金出力部２５２４は、例えば、ディスプレイとそのドライバーソフトにより実現され得る。また、労働料金出力部２５２４は、ディスプレイを含まなくても良い。かかる場合、労働料金出力部２５２４は、外付けのディスプレイに労働料金を出力指示する。さらに、労働料金出力部２５２４は、労働料金を音で出力する場合には、スピーカーとそのドライバーソフトを有しても良い。また、労働料金出力部２５２４は、外部の情報処理装置等に送信等することでも良い。かかる場合、動作情報出力部２５２４は、ネットワークカードとそのドライバーソフト等を有して実現できる。
【０１５９】
以下、本実施の形態における情報処理システム２５００の情報処理装置２５２０の動作について、図２６のフローチャートを用いて説明する
【０１６０】
なお、洗濯機２５１０の動作は、動作情報取得部２５１１が、動作情報を取得し、動作情報蓄積部２５１２が、動作情報を蓄積し、洗濯機２５１０の動作が終了したら、動作情報送信部２５１０が、動作情報を、情報処理装置２５２０に送信する、動作である。この送信は、洗濯機２５１０の動作が終了した後に送信するものだったが、洗濯機２５１０のスタートボタンが入力指示を受け付けた後に送信するものでも良く、一定時刻（例えば、２０：００）が経過したら送信するものでも良い。かかる場合には、動作情報送信部２５１３は、動作情報蓄積部２５１２に蓄積された複数の動作情報を送信する。
【０１６１】
（ステップＳ２６０１）動作情報受信部２５２１は、動作情報を受信したか否かを判断する。当該動作情報を受信すれば、ステップＳ２６０２に行き、当該動作情報を受信しなければ、ステップＳ２６０１に戻る。
【０１６２】
（ステップＳ２６０２）労働料金算出部２５２２は、動作情報に基づいて、労働料金の算出をする詳細は後述する。労働料金算出部２５２２は、取得した労働料金を動作情報と対応づけて、メモリに一時蓄積する。
【０１６３】
（ステップＳ１２０３）動作情報出力部２５２３は、ステップＳ２６０１で受信した動作情報を出力する。
【０１６４】
（ステップＳ２６０４）労働料金出力部２５２４は、ステップＳ２６０２で算出した労働料金を取得して、当該労働料金を出力する。この出力後、動作は終了する。
【０１６５】
以上、情報処理装置２５２０の動作を図２６のフローチャートを用いて説明した。なお、図２６のフローチャートにおいて、洗濯機２５１０と情報処理装置２５２０の電源は、ＯＮ状態である。なお、本実施の形態の情報処理装置２５２０は、動作情報を受信すると、労働料金を算出し、動作情報と労働料金を出力するものだったが、受信した複数の動作情報を蓄積しておき、一定時刻（例えば、２１：００）になると、労働料金を算出し、動作情報と労働料金を出力するものでも良い。かかる場合、動作情報受信部は、動作情報受信部に内蔵のメモリに、受信した動作情報を蓄積し、労働料金算出部は、蓄積された動作情報を順次取得して、動作情報ごとに労働料金を算出するものであり、かつ、労働料金出力部は、労働料金と動作情報を対応づけて出力するものである。
【０１６６】
以下、本実施の形態における情報処理システム２５００の洗濯機２５１０と情報処理装置２５２０の具体的な動作について説明する。
【０１６７】
図２７は、洗濯機２７１０と情報処理装置２７２０を示す。図２７において、洗濯機２７１０と情報処理装置２７２０は、それぞれ、無線通信手段を有して、洗濯機２７１０が、動作情報を送信し、情報処理装置２７２０が受信する構成である。
【０１６８】
また、洗濯機２７１０は、スタートボタン２７１１、電源ＯＦＦボタン２７１２、頑固汚れモード２７１３、デリケート洗いモード２７１４、洗濯＆乾燥機モード２７１５等の操作ボタン等と、洗濯物の重量を検出する重量センサーと時計等を有する構成である。
【０１６９】
動作情報取得部は、スタートボタン２７１１を入力指示したときの動作開始時刻と、その動作開始時刻から洗濯機２７１０の動作が自動的に終了する時刻を取得し、当該動作開始時刻と動作終了時刻の差を求め、動作時間を算出する。この自動的に終了する時刻は、頑固汚れモード２７１３、デリケート洗いモード２７１４、洗濯＆乾燥機モード２７１５等の動作モードを選択すると自動的に決定するものである。また、動作情報取得部は、動作モードのボタンを入力指示したときの動作モード、例えば、頑固汚れモード、デリケート洗いモード、洗濯＆乾燥機モード等の動作モード等を取得する。また、洗濯機２７１０が動作した動作日、動作開始時刻、および動作終了時刻を取得する。また、動作情報取得部は、洗濯物の重量を重量センサーから取得する。
【０１７０】
動作情報蓄積部は、動作情報取得部が取得した動作情報を、動作情報蓄積部に内蔵のメモリに記録する。今、動作情報は、動作時間、動作モード、動作日、動作開始時刻、動作終了時刻および洗濯物の重量等を有する。
【０１７１】
動作情報送信部は、動作情部取得部が取得した動作情報を情報処理装置２７２０に送信する。図２８は、取得した動作情報の例を示す。図２８において、動作情報は、動作日「２月２８日」、動作開始時刻「９：００」、動作終了時刻「１２：００」動作時間「３」、動作モード「頑固汚れモード」および洗濯物の重量「５．２ｋｇ」である。
【０１７２】
情報処理装置２７２０の動作情報受信部は、動作情報を受信し、一時蓄積する。
【０１７３】
次に、労働料金算出部は、動作情報受信部が受信した動作情報に基づいて、労働料金を算出する。具体的には、労働料金算出部は、動作情報が有する、動作モードの情報を検索キーとして、予め情報処理装置に内蔵のメモリに記録されている、該当する単位時間当たりの料金を取得する。また、労働料金算出部は、洗濯物の重量の情報を検索キーとして、予め情報処理装置に内蔵のメモリに記録されている、該当する洗濯物の重量当たりの料金を取得する。図２９は、単位時間当たりの料金データの例を示す。図２９において、労働料金算出部は、動作モード「頑固汚れモード」を検索キーとして、該当する単位時間当たりの料金「５００」を検索する処理を行う。また、図３０は、重量に対応する料金データを示す。図３０において、労働料金算出部は、洗濯物の重量「５．２Ｋｇ」を検索キーとして、該当する重量に対応する料金「２，０００」を検索する処理を行う。
【０１７４】
次に、労働料金算出部は、取得した単位時間当たりの料金と動作情報が有する動作時間を乗算する。図２９において、単位時間当たりの料金は「５００」であり、当該「５００」と動作時間「３」を乗算して、料金「１，５００」を算出する。
【０１７５】
次に、労働料金算出部は、算出した料金「１，５００」と、重量に対応する料金「２，０００」を加算して、労働料金「３，５００」を算出する。ここで、労働料金算出部は、単位時間当たり料金に動作時間を乗算した料金と重量に対応する料金「２，０００」を加算して、労働料金を算出したが、いずれか一方の、料金を労働料金としても良く、その他の方法で算出しても良い。なお、単位時間当たりの料金と重量に対応する料金は、任意の値であり、本実施の形態の値以外のその他の値でも良い。また、労働料金算出部は、洗濯物のセットおよび取り出し等に対応する作業時間をキーとして、予めメモリに記録してある作業時間に対応する労働料金を検索して、労働料金を取得するもので良い。
【０１７６】
次に、動作情報出力部は、動作情報受信部から動作情報を取得して、動作情報を、情報処理装置が有するディスプレイに出力する。また、労働料金出力部は、労働料金算出部から労働料金を取得して、労働料金を情報処理装置が有するディスプレイに出力する。図３１は、本日の家事労働の表示例を示す。図３１において、本日の家事労働の内容は、日付が「２月２８日」、動作開始時刻が「９：００」、動作開始時刻が「１２：００」、動作時間が「３」、動作モードが「頑固汚れモード」、洗濯物の重量が「３．２Ｋｇ」および労働料金が「￥３，５００」である。
【０１７７】
なお、本実施の形態において、単位時間当たりの料金と重量に対応する料金のデータは、予め情報処理装置に内蔵のメモリに記録されているものだったが、この単位時間当たりの料金または重量に対応する料金のデータが、外部装置から送信されて、情報処理装置が取得する、または、手動で単位時間当たりの料金または重量に対応する料金のデータを入力する等、カスタマイズできるものである。
【０１７８】
以上、本実施の形態において、動作情報を取得し、蓄積し、また、動作情報を送信する洗濯機２５１０と、動作情報を受信し、動作情報から労働時間を算出する情報処理装置２５２０との構成からなる情報処理システム２５００であって、かかる情報処理システムにより、洗濯機２５１０の動作情報を自動的に蓄積でき、また、家庭内の労働料金を、自動的にかつ正確に算出し、算出した労働料金を、出力できるものである。また、労働料金を、算出し、出力することで、家庭の主婦の労働等を正確に評価できるものである。労働料金を正確に評価であきるため、夫が妻の労働や苦労等を理解して、家庭円満に役立つものである。
【０１７９】
なお、本実施の形態において、洗濯機２５１０は、動作情報蓄積部が有する記録媒体に動作情報を蓄積するものだったが、この蓄積した情報を、ＩＣカード等の記録媒体に記録し、移動可能にすることで、外部の（本実施の情報処理システム以外の）情報処理装置等がデータを容易に取得可能となる。かかる外部の情報処理装置等は、本実施の形態の情報処理装置２５２０と同様の手段で、動作情報を視覚化して出力でき、また、動作情報に基づいて労働料金を算出できる。
【０１８０】
また、洗濯機は、蓄積した動作情報を出力する動作情報出力部をさらに具備して動作情報を出力するもので良い。この出力と、ディスプレイ等への表示が好適であるが、スピーカーからの音出力やプリンタへの印刷でも良い。動作情報出力部は、例えば、ディスプレイとそのドライバーソフトにより実現され得る。また、動作情報出力部は、ディスプレイ等の出力デバイスを含まなくても良い。かかる場合、動作情報出力部は、情報処理装置が有する、または、外付けのディスプレイに動作情報等を出力指示する。さらに、動作情報出力部は、動作情報等を音で出力する場合には、スピーカーとそのドライバーソフトを有しても良い。
【０１８１】
また、洗濯機は、洗濯者を識別する情報である洗濯者識別情報を受信する洗濯者識別情報受信部をさらに具備し、動作情報送信部は、洗濯者識別情報をも情報処理装置に送信するものでも良い。この洗濯者識別情報受信部は、掃除者識別情報受信部と同様の構成で実現できる。かかる場合の情報処理装置は、動作情報受信部が洗濯者識別情報をも受信し、動作情報出力部は、洗濯者識別情報をも出力できるものでも良い。
【０１８２】
さらに、本実施の形態における洗濯機の動作をソフトウェアで実現した場合のプログラムは、以下のようになる。コンピュータに、洗濯機の動作に関する情報である動作情報を取得する動作情報取得ステップと、動作情報を蓄積する動作情報蓄積ステップと、動作情報を情報処理装置に送信する動作情報送信ステップを実行させるためのプログラムである。
【０１８３】
また、本実施の形態における情報処理装置の動作をソフトウェアで実現した場合のプログラムは、以下のようになる。コンピュータに、動作情報を受信する動作情報受信ステップと、動作情報受信ステップで受信した動作情報を出力する動作情報出力ステップを実行させるためのプログラムである。
【０１８４】
また、コンピュータに、動作情報を受信する動作情報受信ステップと、動作情報受信ステップで受信した動作情報を出力する動作情報出力ステップと、動作情報受信ステップで受信した動作情報に基づいて労働料金を算出する労働料金算出ステップと、労働料金を出力する労働料金出力ステップを実行させるためのプログラムである。なお、動作情報出力ステップと労働料金算出ステップの実行させる順序は、動作情報出力ステップ後に、労働料金算出ステップを実行させるものでもよく、労働料金算出ステップ後に、動作情報出力ステップを実行させるものでもよい。この実行の順序は、他の実施の形態でも同様である。
【０１８５】
（実施の形態５）
図３２は、本実施の形態における情報処理システム３２００のブロック図である。本情報処理システム３２００は、食洗機３２１０および情報処理装置３２２０を有する。食洗機３２１０は、動作情報取得部３２１１、動作情報蓄積部３２１２、動作情報送信部３２１３を有する。情報処理装置３２２０は、動作情報受信部３２２１、労働料金算出部３２２２、動作情報出力部３２２３、労働料金出力部３２２４を有する。
【０１８６】
動作情報取得部３２１１は、動作情報を取得する。動作情報とは、食洗機の動作に関する情報であり、例えば、動作日、動作時間、動作回数、動作モード、食器を識別する情報である食器識別情報、食器のセットおよび取り出しに対応する作業時間等を有する。動作日は、食洗機３２１０が動作した日の情報等であり、例えば、食洗した日が、２月２８日の場合、動作日は、「２月２８日」である。動作時間とは、食洗機３２１０が食洗をする時間であり、例えば、食洗機３２１０の開始ボタン等をＯＮにした時刻からその終了時刻までの時間等である。なお、終了時刻は、通常、開始ボタン等をＯＮにした時刻から、一定時間経過後の時刻等である。また、動作回数とは、一定期間（例えば、１日、１週間等の期間）に食洗機３２１０が動作した回数であり、例えば、「一日当たりに２回」等の情報を有する。また動作モードとは、食洗機３２１０の動作モードに関する情報であり、例えば、標準モード、簡易モード、乾燥のみモード等の情報を有する。また、食器識別情報とは、例えば、コップ、茶碗、大皿、小皿等の食器を識別する情報等である。食器のセットおよび取り出しに対応する作業時間とは、例えば、食洗機に食器をセットする作業に要した時間および、食洗機の動作が終了後、食洗機から食器を取り出す作業（食器棚に片付ける作業を含んでも含まなくても良い）に要した時間等である。かかる作業時間は、例えば、動作情報取得部の無線タグリーダーが食器識別情報を最初に受信した時刻から、最後に受信した時刻までの時間を算出することで求められる。動作情報取得部３２１１は、通常、ソフトウェアから構成されるが、ハードウエア（専用回路）により実現しても良い。また、食器識別情報を取得する場合に、食器には、無線タグが貼付され、動作情報取得部３２１１は、無線タグリーダーを具備する。
【０１８７】
動作情報蓄積部３２１２は、動作情報を記録媒体に蓄積する。動作情報蓄積部３２１２は、通常、ソフトウェアから構成されるが、ハードウエア（専用回路）により実現しても良い。この記録媒体は、不揮発性の記録媒体が好適であるが、揮発性の記録媒体でも良い。また、この蓄積は、一時的に、キャッシュやメモリ等に記録することを含む。
【０１８８】
動作情報送信部３２１３は、動作情報を、情報処理装置３２２０に送信する。動作情報送信部３２１３は、例えば、ネットワークカードとそのドライバーソフト等から構成される。
【０１８９】
動作情報受信部３２２１は、動作情報を受信する。動作情報受信部３２２１は、例えば、ネットワークカードとそのドライバーソフト等から構成される。
【０１９０】
労働料金算出部３２２２は、動作情報受信部３２２１が受信した動作情報を取得し、当該動作情報に基づいて、労働料金を算出する。詳細は後述する。労働料金算出部３２２２は、通常、ソフトウェアから構成されるが、ハードウエア（専用回路）により実現しても良い。
【０１９１】
動作情報出力部３２２３は、動作情報受信部３２２１が受信した動作情報を取得し、当該動作情報を出力する。この出力態様は、問わない。具体的には、後述する。この出力とは、ディスプレイ等への表示が好適であるが、スピーカーからの音出力やプリンタへの印刷でも良い。動作情報出力部３２２３は、例えば、ディスプレイとそのドライバーソフトにより実現され得る。また、動作情報出力部３２２３は、ディスプレイ等の出力デバイスを含まなくても良い。かかる場合、動作情報出力部３２２３は、外付けのディスプレイに動作情報と日時情報を出力指示する。さらに、動作情報出力部３２２３は、動作情報と日時情報を音で出力する場合には、スピーカーとそのドライバーソフトを有しても良い。また、動作情報出力部３２２３は、外部の情報処理装置等に送信等することでも良い。かかる場合、動作情報出力部２５２３は、ネットワークカードとそのドライバーソフト等を有して実現される。
【０１９２】
労働料金出力部３２２４は、労働料金算出部３２２２が算出した労働料金を出力する。この出力とは、ディスプレイ等への表示が好適であるが、スピーカーからの音出力やプリンタへの印刷でも良い。労働料金出力部３２２４は、例えば、ディスプレイとそのドライバーソフトにより実現され得る。また、労働料金出力部３２２４は、ディスプレイを含まなくても良い。かかる場合、労働料金出力部３２２４は、外付けのディスプレイに労働料金を出力指示する。さらに、労働料金出力部３２２４は、労働料金を音で出力する場合には、スピーカーとそのドライバーソフトを有しても良い。また、労働料金出力部３２２４は、外部の情報処理装置等に送信等することでも良い。かかる場合、動作情報出力部３２２４は、ネットワークカードとそのドライバーソフト等を有して実現できる。
【０１９３】
以下、本実施の形態における情報処理システム３２００の情報処理装置３２２０の動作について図３３のフローチャートを用いて説明する。
【０１９４】
なお、食洗機３２１０の動作は、動作情報取得部３２１１が、動作情報を取得し、動作情報蓄積部３２１２が、動作情報を蓄積し、食洗機３２１０の動作が終了したら、動作情報送信部３２１０が、動作情報を、情報処理装置３２２０に送信する、動作である。この動作情報取得部３２１１が、動作情報を取得する動作の詳細は後述する。なお、この送信は、食洗機３２１０の動作が終了した後に送信するものだったが、食洗機３２１０のスタートボタンが入力指示を受け付けた後に送信するものでも良く、一定時刻（例えば、２０：００）が経過したら送信するものでも良い。かかる場合には、動作情報送信部３２１３は、動作情報蓄積部３２１２に蓄積された複数の動作情報を送信する。
【０１９５】
（ステップＳ３３０１）動作情報受信部３２２１は、動作情報を受信したか否かを判断する。当該動作情報を受信すれば、ステップＳ３３０２に行き、当該動作情報を受信しなければ、ステップＳ３３０１に戻る。
【０１９６】
（ステップＳ３３０２）労働料金算出部３２２２は、動作情報に基づいて、労働料金の算出をする。詳細は後述する。労働料金算出部３２２２は、取得した労働料金を動作情報と対応づけて、メモリに一時蓄積する。
【０１９７】
（ステップＳ３３０３）動作情報出力部３２２３は、ステップＳ３３０１で受信した動作情報を出力する。
【０１９８】
（ステップＳ３３０４）労働料金出力部３２２４は、ステップＳ３３０２で算出した労働料金を取得して、当該労働料金を出力する。この出力後、動作は終了する。
【０１９９】
以上、情報処理装置３２２０動作を図３３のフローチャートを用いて説明した。なお、図３３のフローチャートにおいて、食洗機３２１０と情報処理装置３２２０の電源は、ＯＮ状態である。なお、本実施の形態の情報処理装置３２２０は、動作情報を受信すると、労働料金を算出し、動作情報と労働料金を出力するものだったが、受信した複数の動作情報を蓄積しておき、一定時刻（例えば、２１：００）になると、労働料金を算出し、動作情報と労働料金を出力するものでも良い。かかる場合、動作情報受信部は、動作情報受信部に内蔵のメモリに、受信した動作情報を蓄積し、労働料金算出部は、蓄積された動作情報を順次取得して、動作情報ごとに労働料金を算出するものであり、かつ、労働料金出力部は、労働料金と動作情報を対応づけて出力するものである。
【０２００】
以下、本実施の形態における情報処理システムの食洗機３６１０と情報処理装置３６２０の具体的な動作について説明する。
【０２０１】
図３４は、食洗機３６１０と情報処理装置３６２０を示す。図３４において、食洗機３６１０と情報処理装置３６２０は、それぞれ、無線通信手段を有して、食洗機３６１０が、動作情報を送信し、情報処理装置３６２０が受信する構成である。また、食洗機３６１０の洗浄ケース内には、グラス、マグカップ、茶碗が置かれ、グラスに無線タグ３６０１、マグカップに無線タグ３６０２、茶碗に無線タグ３６０３がそれぞれ、貼付してある。また、食洗機３６１０は、動作モード等を選択する操作ボタンを有し、この操作ボタンは、例えば、スタートボタン３６１１、標準モード３６１２、簡易モード３６１３等である。また、食洗機３６１０は、時計を有する。また、動作情報取得部は、食器識別情報を取得する無線タグリーダーを有する。
【０２０２】
動作情報取得部は、スタートボタン３６１１を入力指示したときの動作開始時刻と、その動作開始時刻から食洗機３６１０の動作が自動的に終了する時刻を取得し、当該動作開始時刻と動作終了時刻の差を求め、動作時間を算出する。この自動的に終了する時刻は、標準モード３６１２、簡易モード３６１３等の動作モードを選択すると自動的に決定するものである。また、動作情報取得部は、動作モードのボタンを入力指示したときの動作モード、例えば、標準モード３６１２、簡易モード３６１３等の動作モード等を取得する。また、食洗機３６１０が動作した動作日、動作開始時刻、および動作終了時刻を取得する。なお、本実施の形態において、動作情報取得部は、動作モードのボタンを入力指示したとき動作モードを取得するものだったが、動作情報取得部は、取得した食器識別情報に基づいて、動作モードを取得する手段でも良い。かかる場合、動作情報取得部は、食器識別情報をキーとして、動作モードのデータを検索して、該当する動作モードを取得する手段で実現できる。
【０２０３】
また、動作情報取得部の無線タグリーダーは、グラスの無線タグ３６０１、マグカップの無線タグ３６０２、茶碗の無線タグ３６０３から、それぞれの食器識別情報を取得する。この取得は、スタートボタン３６１１を入力指示した後に、１回の取得をするものである。
【０２０４】
動作情報蓄積部は、動作情報取得部が取得した動作情報を、動作情報取得部から取得し、動作情報蓄積部に内蔵のメモリに記録する。今、動作情報は、動作時間、動作モード、動作日、動作開始時刻、動作終了時刻および食器識別情報等を有する。
【０２０５】
動作情報送信部は、動作情部取得部が取得した動作情報を、情報処理装置３６２０に送信する。図３５は、動作情報の例を示す。図３５において、動作情報の内容は、動作日が「２月２８日」、動作開始時刻が「１３：００」、動作終了時刻が「１５：００」、動作時間が「２」、動作モードが「標準モード」および食器識別情報が「グラス」、「マグカップ」、「茶碗」である。
【０２０６】
情報処理装置３６２０の動作情報受信部は、動作情報を受信し、一時蓄積する。
【０２０７】
次に、労働料金算出部は、動作情報受信部が受信した動作情報に基づいて、労働料金を算出する。具体的には、労働料金算出部は、動作情報が有する、動作モードの情報を検索キーとして、予め情報処理装置に内蔵のメモリに記録されている、該当する単位時間当たりの料金を取得する。また、労働料金算出部は、食器識別情報を検索キーとして、予め情報処理装置に内蔵のメモリに記録されている、該当する食器毎の料金を取得する。図３６は、単位時間当たりの料金データの例を示す。図３６において、労働料金算出部は、動作モードの「標準モード」を検索キーとして、該当する単位時間当たりの料金「５００」を検索する処理を行う。また、図３７は、食器毎の料金データの例を示す。図３７において、労働料金算出部は、食器識別情報の「グラス」、「マグカップ」および「茶碗」をそれぞれ検索キーとして、該当するそれぞれの料金「１００」、「２００」および「３００」を検索する処理を行う。
【０２０８】
次に、労働料金算出部は、取得した単位時間当たりの料金と動作情報が有する動作時間を乗算する。図３６において、単位時間当たりの料金が「５００」であり、当該「５００」と動作時間「２」を乗算して、料金「１，０００」を算出する。
【０２０９】
次に、労働料金算出部は、算出した料金「１，０００」と検索結果の食器毎の料金「１００」、「２００」および「３００」を加算して、労働料金「１，６００」を算出する。ここで、労働料金算出部は、算出した料金「１，０００」と食器毎の料金「１００」、「２００」および「３００」を加算して、労働料金を算出したが、いずれか一方の、料金を労働料金としても良く、その他の方法で算出しても良い。なお、単位時間当たりの料金と食器毎の料金は、任意の値であり、本実施の形態の値以外のその他の値でも良い。また、労働料金算出部は、食器のセットおよび取り出しに対応する作業時間をキーとして、予めメモリに記録してある作業時間に対応する労働料金を検索して、労働料金を取得するもので良い。
【０２１０】
次に、動作情報出力部は、動作情報受信部から動作情報を取得して、動作情報を、情報処理装置が有するディスプレイに出力する。また、労働料金出力部は、労働料金算出部から労働料金を取得して、労働料金を情報処理装置が有するディスプレイに出力する。また、動作情報出力部は、食器識別情報が複数ある場合において、食器識別情報の数量をカウントする。具体的には、動作情報出力部は、例えば、食器識別情報「グラス」を取得し、カウンタｉを１にする。次の食器識別情報を取得して、当該食器識別情報と「グラス」が一致する場合に、カウンタｉを１カウントアップする。動作情報出力部は、すべての食器識別情報についてこの動作を繰り返し、食器識別情報ごとにその数量をカウントする。
【０２１１】
図３８は、本日の家事労働の表示例を示す。図３８において、本日の家事労働の内容は、日付が「２月２８日」、動作開始時刻が「１３：００」、動作開始時刻が「１５：００」、動作時間が「２」、動作モードが「標準モード」、食器が「グラス」、「マグカップ」および「茶碗」および労働料金が「￥１，６００」である、また、「グラス」の数量「１」、「マグカップ」の数量「１」および「茶碗」の数量「１」である。
【０２１２】
なお、本実施の形態において、単位時間当たりの料金と食器毎の料金のデータは、予め情報処理装置に内蔵のメモリに記録されているものだったが、この単位時間当たりの料金または食器毎の料金のデータが、外部装置から送信されて、情報処理装置が取得する、または、手動で単位時間当たりの料金または食器毎の料金のデータを入力する等、カスタマイズできるものである。
【０２１３】
以上、本実施の形態において、動作情報を取得し、蓄積し、また、動作情報を送信する食洗機と、動作情報を受信し、動作情報から労働時間を算出する情報処理装置との構成からなる情報処理システムであって、かかる情報処理システムにより、食洗機の動作情報を自動的に蓄積でき、また、家庭内の労働料金を、自動的にかつ正確に算出し、算出した労働料金を、出力できるものである。また、労働料金を、算出し、出力することで、家庭の主婦の労働等を正確に評価できるものである。労働料金を正確に評価であきるため、夫が妻の労働や苦労等を理解して、家庭円満に役立つものである。
【０２１４】
なお、本実施の形態において、食洗機は、動作情報蓄積部が有する記録媒体に動作情報を蓄積するものだったが、この蓄積した情報を、ＩＣカード等の記録媒体に記録し、移動可能にすることで、外部の（本実施の情報処理システム以外の）情報処理装置等がデータを容易に取得可能となる。かかる外部の情報処理装置等は、本実施の形態の情報処理装置３２２０と同様の手段で、動作情報を視覚化して出力でき、また、動作情報に基づいて労働料金を算出できる。
【０２１５】
また、食洗機は、蓄積動作情報を出力する動作情報出力部をさらに具備して動作情報を出力するもので良い。この出力と、ディスプレイ等への表示が好適であるが、スピーカーからの音出力やプリンタへの印刷でも良い。動作情報出力部は、例えば、ディスプレイとそのドライバーソフトにより実現され得る。また、動作情報出力部は、ディスプレイ等の出力デバイスを含まなくても良い。かかる場合、動作情報出力部は、情報処理装置が有する、または、外付けのディスプレイに動作情報等を出力指示する。さらに、動作情報出力部は、動作情報等を音で出力する場合には、スピーカーとそのドライバーソフトを有しても良い。
【０２１６】
また、食洗機は、食洗者を識別する情報である食洗者識別情報を受信する食洗者識別情報受信部をさらに具備し、動作情報送信部は、食洗者識別情報をも情報処理装置に送信するものでも良い。この食洗者識別情報受信部は、掃除者識別情報受信部と同様の構成で実現できる。かかる場合の情報処理装置は、動作情報受信部が食洗者識別情報をも受信し、動作情報出力部は、食洗者識別情報をも出力できるものでも良い。
【０２１７】
さらに、本実施の形態における食洗機の動作をソフトウェアで実現した場合のプログラムは、以下のようになる。コンピュータに、食洗機の動作に関する情報である動作情報を取得する動作情報取得ステップと、動作情報を蓄積する動作情報蓄積ステップと、動作情報を情報処理装置に送信する動作情報送信ステップを実行させるためのプログラムである。
【０２１８】
また、本実施の形態における情報処理装置の動作をソフトウェアで実現した場合のプログラムは、以下のようになる。コンピュータに、動作情報を受信する動作情報受信ステップと、動作情報受信ステップで受信した動作情報を出力する動作情報出力ステップを実行させるためのプログラムである。
【０２１９】
また、コンピュータに、動作情報を受信する動作情報受信ステップと、動作情報受信ステップで受信した動作情報を出力する動作情報出力ステップと、動作情報受信ステップで受信した動作情報に基づいて労働料金を算出する労働料金算出ステップと、労働料金を出力する労働料金出力ステップを実行させるためのプログラムである。
【発明の効果】
本発明によれば、電子機器が動作した情報である動作情報に基づいて、労働についての情報が出力でき、特に、主婦の労働を正確に評価できるものである。
【図面の簡単な説明】
【図１】実施の形態１における情報処理システムの構成を示すブロック図
【図２】実施の形態１における情報処理装置の動作について説明するフローチャート
【図３】実施の形態１における情報処理システムの外観の例を示す図
【図４】実施の形態１における第一動作情報を示す図
【図５】実施の形態１における第一日時情報を示す図
【図６】実施の形態１における第二動作情報を示す図
【図７】実施の形態１における第二日時情報を示す図
【図８】実施の形態１における単位時間当たりの料金データの例を示す図
【図９】実施の形態１における本日の家事労働の表示例を示す図
【図１０】実施の形態２における情報処理システム１０００のブロック図
【図１１】実施の形態２における情報処理システムの動作を説明するフローチャート
【図１２】実施の形態２における情報処理システムの動作を説明するフローチャート
【図１３】実施の形態２における掃除機と情報処理装置の外観を示す図を示す図
【図１４】実施の形態２における場所情報と掃除者識別情報の例を示す図
【図１５】実施の形態２における蓄積された場所情報と掃除者識別情報の例を示す図
【図１６】実施の形態２における掃除場所と労働料金のデータの例を示す図
【図１７】実施の形態２における掃除対象場所情報の例を示す図
【図１８】実施の形態２における本日の家事労働の表示例を示す図
【図１９】実施の形態３における情報処理システム１９００のブロック図
【図２０】実施の形態３における情報処理システムの動作を説明するフローチャート
【図２１】実施の形態３における情報処理システムの動作を説明するフローチャート
【図２２】実施の形態３における掃除機２２０１と情報処理装置２２０４等を示す図
【図２３】実施の形態３における場所情報と掃除者識別情報の例を示す図
【図２４】実施の形態３における本日の家事労働の表示例を示す図
【図２５】実施の形態４における情報処理システムの構成を示すブロック図
【図２６】実施の形態４における情報処理システムの動作を説明するフローチャート
【図２７】実施の形態４における洗濯機２７１０と情報処理装置２７２０を示す図
【図２８】実施の形態４における動作情報を示す図
【図２９】実施の形態４における単位時間当たりの料金データの例を示す図
【図３０】実施の形態４における重量に対応する料金データの例を示す図
【図３１】実施の形態４における本日の家事労働の表示例を示した図
【図３２】実施の形態５における情報処理システム３２００のブロック図
【図３３】実施の形態５における情報処理システムの動作を説明したフローチャート
【図３４】実施の形態５における食洗機３６１０と情報処理装置３６２０を示す図
【図３５】実施の形態５における動作情報を示す図
【図３６】実施の形態５における単位時間当たりの料金データを示す図
【図３７】実施の形態５における食器毎の料金データを示す図
【図３８】実施の形態５における本日の家事労働の表示例を示した図
【符号の説明】
１０００、１９００、２５００、３２００  情報処理システム
１０１、３０１、１００１１、１００２、１３０４、１９２０、２２０４、２５２０、２７２０、３２２０、３６２０  情報処理装置
１０２、３０２、１３０１、１９１０、２２０１  掃除機
１０３、３０３、２５１０、２７１０  洗濯機
１００１１  無線タグリーダー
１００１２  掃除者識別情報受信部
１００１３、１９１３  場所情報送信部
１００２１、１９２１  場所情報受信部
１００２２  掃除対象場所情報格納部
１００２４、１９３３  掃除場所出力部
１０１１、２５２１、３２２１  動作情報受信部
１０１２、２５１２、３２１２  動作情報蓄積部
１０１３、１００２３、２５２２、３２２２  労働料金算出部
１０１４、２５２３、３２２３  動作情報出力部
１０１５、１００２５、２５２４、３２２４  労働料金出力部
１０２１、１０３１  動作情報構成部
１０２２、１０３２  動作情報記録部
１０２３、１０３３、２５１３、３２１３  動作情報送信部
１３０２、２２０２  指輪
１３０３、２２０３  無線タグ
１９１１  ゴミセンサー部
１９１２  ゴミ量情報蓄積部
１９１１  ゴミ量情報受信部
２５１１、３２１１  動作情報取得部
３２１０、３６１０  食洗機
【図１】
2004272650.tif 000003
【図２】
2004272650.tif 000004
【図３】
2004272650.tif 000005
【図４】
2004272650.tif 000006
【図５】
2004272650.tif 000007
【図６】
2004272650.tif 000008
【図７】
2004272650.tif 000009
【図８】
2004272650.tif 000010
【図９】
2004272650.tif 000011
【図１０】
2004272650.tif 000012
【図１１】
2004272650.tif 000013
【図１２】
2004272650.tif 000014
【図１３】
2004272650.tif 000015
【図１４】
2004272650.tif 000016
【図１５】
2004272650.tif 000017
【図１６】
2004272650.tif 000018
【図１７】
2004272650.tif 000019
【図１８】
2004272650.tif 000020
【図１９】
2004272650.tif 000021
【図２０】
2004272650.tif 000022
【図２１】
2004272650.tif 000023
【図２２】
2004272650.tif 000024
【図２３】
2004272650.tif 000025
【図２４】
2004272650.tif 000026
【図２５】
2004272650.tif 000027
【図２６】
2004272650.tif 000028
【図２７】
2004272650.tif 000029
【図２８】
2004272650.tif 000030
【図２９】
2004272650.tif 000031
【図３０】
2004272650.tif 000032
【図３１】
2004272650.tif 000033
【図３２】
2004272650.tif 000034
【図３３】
2004272650.tif 000035
【図３４】
2004272650.tif 000036
【図３５】
2004272650.tif 000037
【図３６】
2004272650.tif 000038
【図３７】
2004272650.tif 000039
【図３８】
2004272650.tif 000040